(57)【要約】      （修正有）【課題】カラーバー群の明るさを均一にし、かつ、ＩＲカットフィルターの影響を抑制し、撮像機器の正確な色較正を行う透過型色較正用チャートを提供する。【解決手段】透明基板と、透明基板上に形成されたカラーバー群と、を有し、カラーバー群は、少なくとも第１色および第２色を含む複数色のカラーバーが、順不同でパターン状に配列されて構成され、上記第１色の座標点は、ｘｙ色度図上で（０．３５１、０．６４９）、（０．５４７、０．４５３）、（０．３８０、０．５０６）、（０．４３３、０．４６４）の４点に囲まれた領域内にあり、上記第２色の座標点は、ｘｙ色度図上で、（０．１２５、０．４８９）、（０．１１２、０．２２９）、（０．２７０、０．４０７）、（０．２２４、０.２４２）の４点に囲まれる領域内にあり、第１色カラーバーの透過スペクトルおよび第２色カラーバーの透過スペクトルが、それぞれ分離したピークトップを有する。【選択図】図３
2019049539.tif 000002
【特許請求の範囲】
【請求項１】
透明基板と、
前記透明基板上に形成されたカラーバー群と、
を有し、
前記カラーバー群は、少なくとも第１色および第２色を含む複数色のカラーバーが、順不同でパターン状に配列されて構成され、
前記第１色の座標点は、ｘｙ色度図上で（０．３５１、０．６４９）、（０．５４７、０．４５３）、（０．３８０、０．５０６）、（０．４３３、０．４６４）の４点に囲まれた領域内にあり、
前記第２色の座標点は、ｘｙ色度図上で、（０．１２５、０．４８９）、（０．１１２、０．２２９）、（０．２７０、０．４０７）、（０．２２４、０.２４２）の４点に囲まれる領域内にあり、
第１色カラーバーの透過スペクトルおよび第２色カラーバーの透過スペクトルが、それぞれ分離したピークトップを有することを特徴とする透過型色較正用チャート。
【請求項２】
前記カラーバー群は、さらに赤、緑および青の３色の前記カラーバーを含み、
赤色カラーバーの透過スペクトル、緑色カラーバーの透過スペクトルおよび青色カラーバーの透過スペクトルが、それぞれ分離したピークトップを有することを特徴とする請求項１に記載の透過型色較正用チャート。
【請求項３】
赤、緑、青、前記第１色、および前記第２色の少なくとも５色の前記カラーバーのｘｙ色度図上での色度座標を直線で結んだ五角形内に包含されるポインターカラーの包含率が７４．４％以上であることを特徴とする請求項２に記載の透過型色較正用チャート。
【請求項４】
透明基板と、
前記透明基板上に形成されたカラーバー群と、
を有し、
前記カラーバー群は、赤、緑、青、第１色、第２色および白の少なくとも６色のカラーバーが、順不同でパターン状に配列されて構成され、
前記第１色の座標点は、ｘｙ色度図上で（０．３５１、０．６４９）、（０．５４７、０．４５３）、（０．３８０、０．５０６）、（０．４３３、０．４６４）の４点に囲まれた領域内にあり、
前記第２色の座標点は、ｘｙ色度図上で、（０．１２５、０．４８９）、（０．１１２、０．２２９）、（０．２７０、０．４０７）、（０．２２４、０.２４２）の４点に囲まれる領域内にあり、
赤色カラーバーの透過スペクトルのピーク波長が６００ｎｍ〜６８０ｎｍの範囲内、
緑色カラーバーの透過スペクトルのピーク波長が４９５ｎｍ〜５７０ｎｍの範囲内、
青色カラーバーの透過スペクトルのピーク波長が４３０ｎｍ〜４９０ｎｍの範囲内、
第１色カラーバーの透過スペクトルのピーク波長が５４０ｎｍ〜５９５ｎｍの範囲内、
第２色カラーバーの透過スペクトルのピーク波長が４７０ｎｍ〜５１５ｎｍの範囲内であることを特徴とする透過型色較正用チャート。
【請求項５】
赤、緑、青、前記第１色、および前記第２色の少なくとも５色の前記カラーバーのｘｙ色度図上での色度座標を直線で結んだ五角形内に包含されるポインターカラーの包含率が９０．３％以上であることを特徴とする請求項４に記載の透過型色較正用チャート。
【請求項６】
前記赤色カラーバーの透過スペクトルのピーク波長が６２０ｎｍ〜６８０ｎｍの範囲内であり半値幅が１００ｎｍ以下であり、
前記緑色カラーバーの透過スペクトルのピーク波長が５１０ｍ〜５４０ｎｍの範囲内であり半値幅が８０ｎｍ以下であり、
前記青色カラーバーの透過スペクトルのピーク波長が４５０ｎｍ〜４７２ｎｍの範囲内であり半値幅が８０ｎｍ以下であることを特徴とする請求項２から請求項５までのいずれかの請求項に記載の透過型色較正用チャート。
【請求項７】
前記第２色カラーバーのｘｙ色度図上での色度座標が、前記赤色カラーバーのｘｙ色度図上での色度座標とＤ６５の白色座標とを結ぶ線の延長線上であり、且つ、ＢＴ．２０２０規格で規定される色域の外周上若しくは前記色域の外側に位置し、
前記第１色カラーバーのｘｙ色度図上での色度座標が、前記青色カラーバーのｘｙ色度図上での色度座標と前記白色座標とを結ぶ線の延長線上であり、且つ、ＢＴ．２０２０規格で規定される色域の外周上若しくは前記色域の外側に位置することを特徴とする請求項２から請求項６までのいずれかの請求項に記載の透過型色較正用チャート。
【請求項８】
前記カラーバー群は、さらにオレンジ色カラーバーを含み、前記オレンジ色カラーバーの透過スペクトルのピーク波長が５７５ｎｍ〜６２０ｎｍの範囲内にあることを特徴とする請求項１から請求項７までのいずれかの請求項に記載の透過型色較正用チャート。
【請求項９】
前記カラーバー群は、さらにマゼンダ色カラーバーを含むことを特徴とする請求項１から請求項８までのいずれかの請求項に記載の透過型色較正用チャート。
【請求項１０】
前記カラーバー群は、さらにマゼンダ色カラーバーを含み、
前記マゼンタ色カラーバーのｘｙ色度図上での色度座標が、前記緑色カラーバーのｘｙ色度図上での色度座標とＤ６５の白色座標とを結ぶ線の延長線上にあることを特徴とする請求項２から請求項７までのいずれかの請求項に記載の透過型色較正用チャート。
【発明の詳細な説明】
【技術分野】
【０００１】
本発明は、撮像機器、特に、病理用撮像機器向けの透過型色較正用チャート（以下、カラーチャートと略する場合がある。）に関する。
【背景技術】
【０００２】
撮像機器の分野においては、出力画像の高解像度化が進められており、色に関しても、色調を忠実に再現する高色再現性が求められている。
撮像機器は、正しい再現色をもって出力画像を表示するために、例えば、特許文献１で開示されるようなカラーチャートを用いて、撮像機器での再現色とカラーチャートでの再現色とを比較し、再現色に相違がある場合は上記カラーチャートにもとづき較正される。
【０００３】
色較正に用いられるカラーチャートは、任意の色のカラーバーから構成される。例えば、赤、緑および青の３原色のカラーバーから構成することができ、カラーバーの種類は、撮像機器により再現可能とする色域（以下、単に「色域」と略する場合がある。）に応じて適宜選択することができる。
【０００４】
ここで、色域とは、可視領域のうち特定の範囲をいい、例えば図１１に示すように、ＣＩＥ（国際照明委員会）が定めたＸＹＺ表色系（ＣＩＥ１９３１−ＸＹＺ表色系）のｘｙ色度図を使用して表わすことができる。色域は、ｘｙ色度図においてはＲ、Ｇ、Ｂの各色の頂点となる色度座標を定めそれぞれを直線で結んだ三角形で示すことができる。
色域は従来から種々の色域規格により定められており、例えば、ｓＲＧＢ規格、ＮＴＳＣ規格等が挙げられる。ｓＲＧＢ規格は国際電気標準会議（ＩＥＣ）が定めた国際標準規格であり、ＮＴＳＣ規格はアメリカの国家テレビ標準化委員会が作成したアナログテレビ方式の色域の規格である。最近では、Adobe RGB規格やデジタルシネマ基準プロジェクター（D-Cinema Ref.PJ）規格といった、さらに広色域を網羅する新たな規格も出てきている。
撮像機器は、これらの色域規格に対応可能となるように設計されており、画像の出力に際し、撮像機器の色域内に包含されるポインターカラーを再現することができる。ポインターカラーとは、実在する表面色の色域を表す測色データをいう。病理用撮像機器のように、正確かつ一様な色再現性をもった画像出力が要求される場合、上記ポインターカラーを多く包含するように更に広域な色域を有することが必要とされる。
【先行技術文献】
【特許文献】
【０００５】
【特許文献１】国際公開第２００４／０４４６３９号
【発明の概要】
【発明が解決しようとする課題】
【０００６】
色較正に用いられるカラーチャートは、複数のカラーバーから構成されるカラーバー群を有する。撮像機器の色較正を正確に行うためには、カラーバー群を構成する各カラーバーの明るさを揃える必要があり、従来では、例えば、グレースケールを用いて、撮像機器に画像として取り込まれた各カラーバーの明るさを、均一に調整する方法が知られている。しかしながら、グレースケールを用いて各カラーバーの明るさを調整する方法の場合、例えばカラーチャートの構成が複雑になる等の問題が生じる。
【０００７】
また、撮像機器は、通常、カメラにＩＲカットフィルターが備わっている。ＩＲカットフィルターは、その種類に応じて、カットする波長域が異なる。そのため、撮像機器の色較正に用いられるカラーチャートは、カメラに備わったＩＲカットフィルターの種類に応じて色調に差が生じ、結果として撮像機器の正確な色較正が困難になってしまうという問題が生じる。
【０００８】
本発明は、上記問題点に鑑みてなされたものであり、カラーバー群の明るさを均一にし、かつ、撮像機器のカメラに備わったＩＲカットフィルターによる影響を抑制することで、撮像機器の正確な色較正を行うことが可能な透過型色較正用チャートを提供することを主目的とする。
【課題を解決するための手段】
【０００９】
上記課題を解決するために、本発明の発明者等が鋭意研究を行ったところ、カラーバー群を構成するカラーバーの透過スペクトルが、例えば、後述する図４（ｃ）のように、山形波形となっていない場合、当該カラーバーの輝度が他のカラーバーの輝度に比べて高くなってしまうという知見を得た。また、カラーバーの透過スペクトルが山形波形となっていない場合には、ＩＲカットフィルタ−の種類に応じてカットされる波長域が変化するため、当該カラーバーの色調が、ＩＲカットフィルターの種類により影響を受けてしまうという知見を得た。そこで、本発明の発明者等は、カラーバー群を構成する各カラーバーの透過スペクトルを、山形波形とすることにより、グレースケールを用いずに、カラーバー群の明るさを均一にすることができ、また、ＩＲカットフィルターによる色調への影響を抑制することができ、撮像機器の正確な色較正を行うことが可能な透過型色較正用チャートを提供するに至った。
【００１０】
すなわち、本発明は、透明基板と、上記透明基板上に形成されたカラーバー群と、を有し、上記カラーバー群は、少なくとも第１色および第２色を含む複数色のカラーバーが、順不同でパターン状に配列されて構成され、上記第１色の座標点は、ｘｙ色度図上で（０．３５１、０．６４９）、（０．５４７、０．４５３）、（０．３８０、０．５０６）、（０．４３３、０．４６４）の４点に囲まれた領域内にあり、上記第２色の座標点は、ｘｙ色度図上で、（０．１２５、０．４８９）、（０．１１２、０．２２９）、（０．２７０、０．４０７）、（０．２２４、０.２４２）の４点に囲まれる領域内にあり、第１色カラーバーの透過スペクトルおよび第２色カラーバーの透過スペクトルが、それぞれ分離したピークトップを有することを特徴とする透過型色較正用チャートを提供する。
【００１１】
なお、カラーバーの色のうち、赤、緑、および青を「（三）原色」と称する場合がある。また、各色をカッコ内の略語で表記する場合がある。
また、ｘｙ色度図上における色度座標のことを、単に「色座標」または「座標」と称する場合がある。
さらに、第１色を黄（Ｙｅ）と称する場合や、第２色をシアン（Ｃｙ）と称する場合がある。
【００１２】
本発明によれば、第１色カラーバーの透過スペクトルおよび第２色カラーバーの透過スペクトルが、それぞれ分離したピークトップを有することにより、第１色カラーバーおよび第２色カラーバーの透過スペクトルを山形波形とすることができる。これにより、カラーバー群の明るさを均一にし、かつ、撮像機器のカメラに備わったＩＲカットフィルターによる影響を抑制することで、撮像機器の正確な色較正を行うことが可能となる。
【００１３】
上記発明においては、上記カラーバー群は、さらに赤、緑および青の３色の上記カラーバーを含み、赤色カラーバーの透過スペクトル、緑色カラーバーの透過スペクトルおよび青色カラーバーの透過スペクトルが、それぞれ分離したピークトップを有することが好ましい。白を除く５色のカラーバーの透過スペクトルを山形波形とすることができる。これにより、カラーバー群の明るさをより均一にし、かつ、撮像機器のカメラに備わったＩＲカットフィルターによる影響をより一層抑制することで、撮像機器の正確な色較正を行うことが可能となるからである。
【００１４】
上記発明においては、赤、緑、青、上記第１色、および上記第２色の少なくとも５色の上記カラーバーのｘｙ色度図上での色度座標を直線で結んだ五角形内に包含されるポインターカラーの包含率が７４．４％以上であることが好ましい。
本発明のカラーチャートは、上記５色の座標により規定される色域がポインターカラーを十分に包含することで、可視光領域内の色を十分に網羅することができる。これにより、本発明のカラーチャートを用いて較正された撮像機器は実在する物体色を高精度かつ十分に再現することができるからである。
【００１５】
さらに、本発明は、透明基板と、上記透明基板上に形成されたカラーバー群と、を有し、上記カラーバー群は、赤、緑、青、第１色、第２色および白の少なくとも６色のカラーバーが、順不同でパターン状に配列されて構成され、上記第１色の座標点は、ｘｙ色度図上で（０．３５１、０．６４９）、（０．５４７、０．４５３）、（０．３８０、０．５０６）、（０．４３３、０．４６４）の４点に囲まれた領域内にあり、上記第２色の座標点は、ｘｙ色度図上で、（０．１２５、０．４８９）、（０．１１２、０．２２９）、（０．２７０、０．４０７）、（０．２２４、０.２４２）の４点に囲まれる領域内にあり、赤色カラーバーの透過スペクトルのピーク波長が６００ｎｍ〜６８０ｎｍの範囲内、緑色カラーバーの透過スペクトルのピーク波長が４９５ｎｍ〜５７０ｎｍの範囲内、青色カラーバーの透過スペクトルのピーク波長が４３０ｎｍ〜４９０ｎｍの範囲内、第１色カラーバーの透過スペクトルのピーク波長が５４０ｎｍ〜５９５ｎｍの範囲内、第２色カラーバーの透過スペクトルのピーク波長が４７０ｎｍ〜５１５ｎｍの範囲内であることを特徴とする透過型色較正用チャートを提供する。
【００１６】
換言すると、本発明は、透明基板と、上記透明基板上に形成されたカラーバー群と、を有し、上記カラーバー群は、赤（Ｒ）、緑（Ｇ）、青（Ｂ）、黄（Ｙｅ）、シアン（Ｃｙ）および白（Ｗ）の少なくとも６色のカラーバーが、順不同でパターン状に配列されて構成され、Ｒカラーバーの透過スペクトルのピーク波長が６００ｎｍ〜６８０ｎｍの範囲内、Ｇカラーバーの透過スペクトルのピーク波長が４９５ｎｍ〜５７０ｎｍの範囲内、Ｂカラーバーの透過スペクトルのピーク波長が４３０ｎｍ〜４９０ｎｍの範囲内、Ｙｅカラーバーの透過スペクトルのピーク波長が５４０ｎｍ〜５９５ｎｍの範囲内、Ｃｙカラーバーの透過スペクトルのピーク波長が４７０ｎｍ〜５１５ｎｍの範囲内であることを特徴とする透過型色較正用チャートを提供する。
【００１７】
本発明によれば、白を除く５色のカラーバーが所定の位置に透過スペクトルのピーク波長を有することで、ｘｙ色度図において所望のポインターカラーを包含するために必要最低限の６色により、可視光領域内の色を網羅することができ、可視光領域内の色を一様に再現することができる。これにより、本発明のカラーチャートを用いて撮像機器の色較正を正確に行うことができる。
【００１８】
上記発明においては、上記カラーバー群は、さらにバイオレット（Ｖ）および近赤外（ＮＩＲ）の２色のカラーバーを含み、Ｖカラーバーの透過スペクトルは、波長４１５ｎｍを基準波長とし、上記基準波長での透過率を１００％としたときの相対透過率が５０％となる波長が４３５ｎｍ〜４６５ｎｍの範囲内にあり、ＮＩＲカラーバーの透過スペクトルは、波長７３０ｎｍを基準波長とし、上記基準波長での透過率を１００％としたときの相対透過率が５０％となる波長が６３０ｎｍ〜７３０ｎｍの範囲内であることが好ましい。
本発明のカラーチャートは、所定の透過スペクトルを示すバイオレットおよび近赤外の２色のカラーバーをさらに含むことで、可視光領域内の色を十分に網羅することができ、可視光領域内の色を一様に再現することができる。これにより、本発明のカラーチャートを用いた撮像機器の色較正の精度を高めることができるからである。
【００１９】
また、上記発明においては、上記カラーバー群は、さらにオレンジ色（Ｏ）カラーバーを含み、上記Ｏカラーバーの透過スペクトルのピーク波長が５７５ｎｍ〜６２０ｎｍの範囲内にあることが好ましい。
本発明のカラーチャートは、所定の透過スペクトルを示すオレンジ色カラーバーをさらに含むことで、ピーク波長の間隔が広い黄色と赤色との中間色を補うことができ、可視光領域内の色をバランスよく十分に網羅することができるため、より詳細かつ高精度な色較正が可能となるからである。
【００２０】
上記発明においては、Ｒ、Ｇ、Ｂ、上記第１色、および上記第２色の少なくとも５色の上記カラーバーのｘｙ色度図上での色度座標を直線で結んだ五角形内に包含されるポインターカラーの包含率が９０．３％以上であることが好ましい。
本発明のカラーチャートは、上記５色の座標により規定される色域がポインターカラーを十分に包含することで、可視光領域内の色を十分に網羅することができる。これにより、本発明のカラーチャートを用いて較正された撮像機器は実在する物体色を高精度かつ十分に再現することができるからである。
【００２１】
上記発明においては、上記カラーバー群は、さらにマゼンタ色（Ｍｇ）カラーバーを含むことが好ましい。白はｘｙ色度図上におけるＷ座標を基準として対称と位置にある（補色関係にある）赤およびシアン、もしくは青および黄色を混合することで得られるが、さらに、本発明のカラーチャートがカラーバー群にＭｇカラーバーを含むことで、補色関係にある緑およびマゼンタを適度な比率で混合することでも白を得ることできる。このように、本発明のカラーチャートは、補色関係を利用した３つの基準で同じ白を調整することで、白の較正をより正確に行うことができるからである。
【００２２】
上記発明の場合、上記Ｍｇカラーバーのｘｙ色度図上での色度座標が、上記Ｇカラーバーのｘｙ色度図上での色度座標とＤ６５の白色座標（以下、Ｗ（Ｄ６５）座標とする場合がある。）とを結ぶ線の延長線上にあることが好ましい。ｘｙ色度図上において、Ｍｇ座標の位置をＷ（Ｄ６５）座標とＧ座標とを結ぶ線の延長線上とすることで、補色関係にある赤およびシアン、青および黄色、ならびに緑およびマゼンタのそれぞれの組み合わせを適度な比率で混合してＤ６５となる白を再現することができる。これにより、本発明のカラーチャートは、白の較正およびホワイトバランスの調整をより正確に行うことができるからである。
【００２３】
上記発明においては、上記Ｒカラーバーの透過スペクトルのピーク波長が６２０ｎｍ〜６８０ｎｍの範囲内であり半値幅が１００ｎｍ以下であり、上記Ｇカラーバーの透過スペクトルのピーク波長が５１０ｍ〜５４０ｎｍの範囲内であり半値幅が８０ｎｍ以下であり、上記Ｂカラーバーの透過スペクトルのピーク波長が４５０ｎｍ〜４７２ｎｍの範囲内であり半値幅が８０ｎｍ以下であることが好ましい。
三原色のカラーバーの透過スペクトルが、上記のような分光特性を有することで、ｘｙ色度図上において、三原色の色度座標を直線で結んだ三角形で規定される色域を、ＢＴ．２０２０規格における三原色の座標で規定される色域に近付けることができる。このため、本発明のカラーチャートは、ＢＴ．２０２０規格が適用される撮像機器の色較正に対応可能となるからである。また、各色座標に対して、透過スペクトルの波形にさまざまな波形形状を持たせることができるため、各色に対して透過スペクトルのピーク波長の位置とあわせて半値幅を設定することで、本発明のカラーチャートは、透過スペクトルによる色再現性を確保することができるからである。
【００２４】
上記発明においては、上記第２色カラーバーのｘｙ色度図上での色度座標が、上記Ｒカラーバーのｘｙ色度図上での色度座標とＷ（Ｄ６５）座標とを結ぶ線の延長線上であり、且つ、ＢＴ．２０２０規格で規定される色域の外周上若しくは上記色域の外側に位置し、上記第１色カラーバーのｘｙ色度図上での色度座標が、上記Ｂカラーバーのｘｙ色度図上での色度座標と上記Ｗ（Ｄ６５）座標とを結ぶ線の延長線上であり、且つ、ＢＴ．２０２０規格で規定される色域の外周上若しくは上記色域の外側に位置することが好ましい。
ｘｙ色度図上において、第２色座標の位置をＷ（Ｄ６５）座標とＲ座標とを結ぶ線の延長線上とし、第１色座標の位置をＷ（Ｄ６５）座標とＢ座標とを結ぶ線の延長線上とすることにより、補色関係にあるシアンおよび赤もしくは黄および青のそれぞれの組み合わせを適度な比率で混合してＤ６５の白を再現することができ、ホワイトバランスの調整が可能となるからである。また、第２色座標および第１色座標の位置を、ＢＴ．２０２０規格で規定される色域の外周上若しくは上記色域の外側に位置することで、本発明のカラーチャートを用いて色再現が可能な色域を広げることができるからである。
【発明の効果】
【００２５】
本発明の透過型色較正用チャートは、カラーバー群の明るさを均一にし、かつ、撮像機器のカメラに備わったＩＲカットフィルターによる色調への影響を抑制することで、撮像機器の正確な色較正を行うことができるという作用効果を奏する。
【図面の簡単な説明】
【００２６】
【図１】本発明の透過型色較正用チャートの一例を示す概略平面図である。
【図２】本発明の透過型色較正用チャートが示す分光透過スペクトルの一例を示すイメージグラフである。
【図３】本発明の透過型色較正用チャートの色域の一例を示すｘｙ色度図である。
【図４】透過スペクトルのピーク波長および基準波長の規定方法を説明する説明図である。
【図５】本発明の透過型色較正用チャートの一例を示す概略平面図である。
【図６】本発明の透過型色較正用チャートが示す分光透過スペクトルの他の例を示すイメージグラフである。
【図７】本発明の透過型色較正用チャートの色域の他の例示すｘｙ色度図である。
【図８】本発明の透過型色較正用チャートの一例を示す概略平面図である。
【図９】本発明の透過型色較正用チャートが示す分光透過スペクトルの他の例を示すイメージグラフである。
【図１０】本発明の透過型色較正用チャートの色域におけるＣｙ、ＹｅおよびＭｇの各色度座標の位置を説明するｘｙ色度図である。
【図１１】色域について説明するｘｙ色度図である。
【発明を実施するための形態】
【００２７】
本発明のカラーチャートについて、第１実施態様と第２実施態様とに分けて説明する。
【００２８】
Ｉ．第１実施態様
第１実施態様のカラーチャートについて詳細に説明する。本態様のカラーチャートは、透明基板と、上記透明基板上に形成されたカラーバー群と、を有し、上記カラーバー群は、少なくとも第１色および第２色を含む複数色のカラーバーが、順不同でパターン状に配列されて構成され、上記第１色の座標点は、ｘｙ色度図上で（０．３５１、０．６４９）、（０．５４７、０．４５３）、（０．３８０、０．５０６）、（０．４３３、０．４６４）の４点に囲まれた領域内にあり、上記第２色の座標点は、ｘｙ色度図上で、（０．１２５、０．４８９）、（０．１１２、０．２２９）、（０．２７０、０．４０７）、（０．２２４、０.２４２）の４点に囲まれる領域内にあり、第１色カラーバーの透過スペクトルおよび第２色カラーバーの透過スペクトルが、それぞれ分離したピークトップを有することを特徴とする。
【００２９】
本態様のカラーチャートについて、図を参照して説明する。図１は、本態様のカラーチャートの一例を示す概略平面図である。また、図２は、本態様のカラーチャートが示す分光透過スペクトルの一例を示すイメージグラフである。なお、図１および図２については、後述する「II.第２実施態様」の項に記載する内容と同様とすることができるため、ここでの記載は省略する。
【００３０】
従来、例えば、各カラーバーの明るさを均一に調整する方法として、グレースケールを用いる方法が知られている。しかしながら、グレースケールを用いて各カラーバーの明るさを調整する方法の場合、例えばカラーチャートの構成が複雑になる等の問題が生じる。また、撮像機器は、通常、カメラにＩＲカットフィルターが備わっている。ＩＲカットフィルターは、その種類に応じて、カットする波長域が異なる。そのため、撮像機器の色較正に用いられるカラーチャートは、カメラに備わったＩＲカットフィルターの種類に応じて色調に差が生じ、結果として撮像機器の正確な色較正が困難になってしまうという問題が生じる。
【００３１】
そこで、本態様の発明者等は、カラーバー群を構成するカラーバーの透過スペクトルが、例えば、後述する図４（ｃ）のように、山形波形となっていない場合、当該カラーバーの輝度が他のカラーバーの輝度に比べて高くなってしまうという知見を得た。また、カラーバーの透過スペクトルが山形波形となっていない場合には、ＩＲカットフィルタ−の種類に応じてカットされる波長域が変化するため、当該カラーバーの色調が、ＩＲカットフィルターの種類により影響を受けてしまうという知見を得た。本態様は、このような知見に基づいてなされたものであり、第１色カラーバーの透過スペクトルおよび第２色カラーバーの透過スペクトルが、それぞれ分離したピークトップを有することを特徴とする。これにより、本態様においては、カラーバー群の明るさを均一にし、かつ、撮像機器のカメラに備わったＩＲカットフィルターによる色調への影響を抑制することができる。したがって、本態様においては、撮像機器の正確な色較正を行うことが可能となる。
【００３２】
また、本態様によれば、従来のカラーバー群に、新たに所定の色を呈する第１色および第２色のカラーバーを加えることにより、可視光領域内の色を網羅することができ、可視光領域内の色を一様に再現することができる。これにより、本態様のカラーチャートを用いて撮像機器の色較正を正確に行うことができる。
【００３３】
以下の説明において、「分離したピークトップを有する」とは、透過スペクトルの外視形状が山形である、いわゆる山形波形であり、例えば、後述する図４（ａ）に示すような形状であることを指す。ここで、「外視形状が山形である」とは、少なくとも可視領域における透過スペクトルを全体的に観察した際に山形であることを言い、例えば、透過率（％）が数％の範囲内で上下した際にできた波形については、山形形状としない。
また、「分離したピークトップを有する」場合、透過スペクトルにおいて、例えば、後述する図２に示す各色カラーバーの透過スペクトルのように、外視形状の山形となる凸部を１つ有していても良く、あるいは、後述する図９に示すマゼンタカラーバーの透過スペクトルのように、２つ以上有していても良いが、本態様においては、少なくとも可視領域内において、外視形状の山形となる凸部を１つ有することが好ましい。
したがって、「各色のカラーバーの透過スペクトルが、それぞれ分離したピークトップを有する」とは、例えば、後述する図２に示すように、各色の透過スペクトルが、それぞれ独立した山形波形を有することを意味する。
【００３４】
以下、本態様のカラーチャートの各構成について説明する。
【００３５】
Ａ．カラーバー群
本態様におけるカラーバー群は、透明基板上に形成されるものである。
上記カラーバー群は、少なくとも第１色および第２色を含む複数色のカラーバーが、順不同でパターン状に配列されて構成されている。本態様におけるカラーバー群は、例えば、Ｒ、Ｇ、Ｂ、Ｙｅ、ＣｙおよびＷの、少なくとも６色のカラーバーが、順不同でパターン状に配列されて構成されていることが好ましい。
なお、「Ｗを除く（除いた）５色」とは、Ｒ、Ｇ、Ｂ、ＹｅおよびＣｙの５色をいう。本明細書内において「５色のカラーバー」とは、別段の定めが無い限り、上記の５色のカラーバーをいうものとする。また、「６色のカラーバー」とは、別段の定めが無い限り、上記の５色およびＷの計６色のカラーバーをいうものとする。後述するように、他の色のカラーバーを含む場合であっても、同様とする。
【００３６】
１．透過スペクトル
第１色カラーバーの透過スペクトルおよび第２色カラーバーの透過スペクトルは、それぞれ分離したピークトップを有しており、山形波形とすることができる。また、通常は、Ｒ、Ｇ、Ｂのカラーバーの透過スペクトルについても、それぞれ分離したピークトップを有しており、山形波形とすることができる。
【００３７】
（１）ピーク波長の規定方法
Ｗを除く５色のカラーバーの透過スペクトルは、波形に応じてピーク波長もしくは基準波長を有する。なお、ピーク波長の具体的な規定方法については、後述する「II．第２実施態様  Ａ．カラーバー群  １．透過スペクトル  （１）ピーク波長の規定方法」の項に記載する内容と同様とすることができるため、ここでの記載は省略する。
【００３８】
（２）各色カラーバーのスペクトル特性
以下、カラーバー群を構成する各色カラーバーのスペクトル特性について説明する。
【００３９】
（ａ）赤色（Ｒ）カラーバー
Ｒカラーバーは、光源における赤色光に対する選択透過性を有する。
Ｒカラーバーの透過スペクトルは、分離したピークトップを有することが好ましい。すなわち、Ｒカラーバーの透過スペクトルが、山形波形であることが好ましい。カラーバー群の明るさをより均一にし、かつ、撮像機器のカメラに備わったＩＲカットフィルターによる影響をより一層抑制することで、撮像機器の正確な色較正を行うことが可能となるからである。
【００４０】
Ｒカラーバーの透過スペクトルのピーク波長は、例えば、６００ｎｍ〜６８０ｎｍの範囲内であることが好ましく、中でも６１０ｎｍ〜６８０ｎｍの範囲内、特に６２５ｎｍ〜６８０ｎｍの範囲内であることが好ましい。上記ピーク波長が上記範囲内に無い場合、Ｗを除く５色の透過スペクトルをバランスよく配置した際に、ピークトップの分離が明確にならず、補間色効果が出にくくなるからからである。
【００４１】
Ｒカラーバーのその他の詳細な説明については、後述する「II．第２実施態様  Ａ．カラーバー群  １．透過スペクトル  （２）各色カラーバーのスペクトル特性  （ａ）赤色（Ｒ）カラーバー」の項に記載する内容と同様とすることができるため、ここでの記載は省略する。
【００４２】
（ｂ）緑色（Ｇ）カラーバー
Ｇカラーバーは、光源における緑色光に対する選択透過性を有する。
Ｇカラーバーの透過スペクトルは、分離したピークトップを有することが好ましい。すなわち、Ｇカラーバーの透過スペクトルが、山形波形であることが好ましい。カラーバー群の明るさをより均一にし、かつ、撮像機器のカメラに備わったＩＲカットフィルターによる影響をより一層抑制することで、撮像機器の正確な色較正を行うことが可能となるからである。
【００４３】
Ｇカラーバーの透過スペクトルのピーク波長は、例えば、４９５ｎｍ〜５７０ｎｍの範囲内であることが好ましく、中でも５０５ｎｍ〜５５０ｎｍの範囲内、特に５１０ｎｍ〜５４０ｎｍの範囲内であることが好ましい。上記ピーク波長が上記範囲内に無い場合、Ｗを除く５色の透過スペクトルをバランスよく配置した際に、ピークトップの分離が明確にならず、補間色効果が出にくくなるからからである。
【００４４】
Ｇカラーバーのその他の詳細な説明については、後述する「II．第２実施態様  Ａ．カラーバー群  １．透過スペクトル  （２）各色カラーバーのスペクトル特性  （ｂ）緑色（Ｇ）カラーバー」の項に記載する内容と同様とすることができるため、ここでの記載は省略する。
【００４５】
（ｃ）青色（Ｂ）カラーバー
Ｂカラーバーは、光源における青色光に対する選択透過性を有する。
Ｂカラーバーの透過スペクトルは、分離したピークトップを有することが好ましい。すなわち、Ｂカラーバーの透過スペクトルが、山形波形であることが好ましい。カラーバー群の明るさをより均一にし、かつ、撮像機器のカメラに備わったＩＲカットフィルターによる影響をより一層抑制することで、撮像機器の正確な色較正を行うことが可能となるからである。
【００４６】
Ｂカラーバーの透過スペクトルのピーク波長は、例えば、４３０ｎｍ〜４９０ｎｍの範囲内であることが好ましく、中でも４３５ｎｍ〜４７５ｎｍの範囲内、特に４５０ｎｍ〜４７０ｎｍの範囲内であることが好ましい。上記ピーク波長が上記範囲内に無い場合、Ｗを除く５色の透過スペクトルをバランスよく配置した際に、ピークトップの分離が明確にならず、補間色効果が出にくくなるからからである。
【００４７】
Ｂカラーバーのその他の詳細な説明については、後述する「II．第２実施態様  Ａ．カラーバー群  １．透過スペクトル  （２）各色カラーバーのスペクトル特性  （ｃ）青色（Ｂ）カラーバー」の項に記載する内容と同様とすることができるため、ここでの記載は省略する。
【００４８】
（ｄ）第１色カラーバー
本態様における第１色カラーバーは、ｘｙ色度図上での座標点が、（０．３５１、０．６４９）、（０．５４７、０．４５３）、（０．３８０、０．５０６）、（０．４３３、０．４６４）の４点に囲まれた領域内にあるが、中でも（０．４１７、０．５８３）、（０．４９０、０．５１０）、（０．３８７、０．５０１）、（０．４２１、０.４７４）の４点に囲まれる領域内にあることが好ましく、特に、（０．４３５、０．５６５）、（０．４７２、０．５２８）、（０．４０２、０．５０４）、（０．４２１、０.４８９）の４点に囲まれる領域内にあることが好ましい。
【００４９】
また、第１色カラーバーの透過スペクトルは、分離したピークトップを有する。すなわち、第１色カラーバーの透過スペクトルは、山形波形である。これにより、カラーバー群の明るさをより均一にし、かつ、撮像機器のカメラに備わったＩＲカットフィルターによる影響をより一層抑制することで、撮像機器の正確な色較正を行うことが可能となるからである。
以下、第１色カラーバーをＹｅカラーバーと称して説明する場合がある。
【００５０】
Ｙｅカラーバーのその他の詳細な説明については、後述する「II．第２実施態様  Ａ．カラーバー群  １．透過スペクトル  （２）各色カラーバーのスペクトル特性  （ｄ）黄色（Ｙｅ）カラーバー」の項に記載する内容と同様とすることができるため、ここでの記載は省略する。
【００５１】
（ｅ）第２色カラーバー
本態様における第２色カラーバーは、ｘｙ色度図上での座標点が、（０．１２５、０．４８９）、（０．１１２、０．２２９）、（０．２７０、０．４０７）、（０．２２４、０.２４２）の４点に囲まれる領域内にあるが、中でも（０．１２３、０．４３７）、（０．１１５、０．２９６）、（０．２５４、０．３５０）、（０．２４０、０.２９７）の４点に囲まれる領域内であることが好ましく、特に、（０．１３３、０．３８４）、（０．１３０、０．３２０）、（０．２３９、０．３４１）、（０．２３１、０.３１２）の４点に囲まれる領域内であることが好ましい。
【００５２】
また、第２色カラーバーの透過スペクトルは、分離したピークトップを有する。すなわち、第２色カラーバーの透過スペクトルは、山形波形である。これにより、カラーバー群の明るさをより均一にし、かつ、撮像機器のカメラに備わったＩＲカットフィルターによる影響をより一層抑制することで、撮像機器の正確な色較正を行うことが可能となるからである。
以下、第２色カラーバーをＣｙカラーバーと称して説明する場合がある。
【００５３】
Ｃｙカラーバーのその他の詳細な説明については、後述する「II．第２実施態様  Ａ．カラーバー群  １．透過スペクトル  （２）各色カラーバーのスペクトル特性  （ｅ）シアン色（Ｃｙ）カラーバー」の項に記載する内容と同様とすることができるため、ここでの記載は省略する。
【００５４】
（ｆ）白色（Ｗ）カラーバー
Ｗカラーバーは、無色で透光性を有し、ブランクとして用いられる。なお、Ｗカラーバーについては、後述する「II．第２実施態様  Ａ．カラーバー群  １．透過スペクトル  （２）各色カラーバーのスペクトル特性  （ｆ）白色（Ｗ）カラーバー」の項に記載する内容と同様とすることができるため、ここでの記載は省略する。
【００５５】
（ｇ）任意のカラーバー
上記カラーバー群は、上述の６色のカラーバーに加えて、所定の透過スペクトルを有するバイオレット（Ｖ）および近赤外（ＮＩＲ）の２色のカラーバーをさらに含むことが好ましい。Ｗを除く５色のカラーバーに加え、所定の透過スペクトルを示すＶカラーバーおよびＮＩＲカラーバーを含むことで、本態様のカラーチャートは、可視光領域内の色を十分に網羅することができ、可視光領域内の色を一様に再現することができる。これにより、本態様のカラーチャートを用いた撮像機器の色較正の精度を高めることができる。
【００５６】
また、上記カラーバー群は、上述の６色のカラーバーに加えて、所定の透過スペクトルを有するオレンジ色（Ｏ）カラーバーをさらに含むことが好ましい。本態様のカラーチャートは、所定の透過スペクトルを示すＯカラーバーをさらに含むことで、ピーク波長の間隔が広い黄色と赤色との中間色を補うことができ、可視光領域内の色をバランスよく十分に網羅することができるため、より詳細かつ高精度な色較正が可能となる。
【００５７】
以下、任意のカラーバーを含む場合の構成については、後述する「II．第２実施態様  Ａ．カラーバー群  １．透過スペクトル  （２）各色カラーバーのスペクトル特性  （ｇ）任意のカラーバー」の項に記載する図５〜図９を用いた説明と同様とすることができるため、ここでの記載は省略する。
【００５８】
以下、本態様のカラーチャートに含むことが可能な、各色のカラーバーについて説明する。
【００５９】
（ｉ）バイオレット色（Ｖ）カラーバー
Ｖカラーバーの透過スペクトルは、光源における短波長光のうち青色光よりも短波長側の光に対する選択透過性を有することから、Ｂカラーバーの透過スペクトルよりも短波長側に位置し、一部がＢカラーバーの透過スペクトルと重複することが好ましい。
【００６０】
また、Ｖカラーバーの透過スペクトルは、分離したピークトップを有することが好ましい。すなわち、Ｖカラーバーの透過スペクトルが、山形波形であることが好ましい。カラーバー群の明るさをより均一にし、かつ、撮像機器のカメラに備わったＩＲカットフィルターによる影響をより一層抑制することで、撮像機器の正確な色較正を行うことが可能となるからである。
【００６１】
Ｖカラーバーのその他の詳細な説明については、後述する「II．第２実施態様  Ａ．カラーバー群  １．透過スペクトル  （２）各色カラーバーのスペクトル特性  （ｉ）バイオレット色（Ｖ）カラーバー」の項に記載する内容と同様とすることができるため、ここでの記載は省略する。
【００６２】
（ii）近赤外色（ＮＩＲ）カラーバー
ＮＩＲカラーバーの透過スペクトルは、光源における長波長光のうち赤色光よりも長波長側の光に対する選択透過性を有することから、Ｒカラーバーの透過スペクトルよりも短波長側に位置し、一部がＢカラーバーの透過スペクトルと重複することが好ましい。
【００６３】
ＮＩＲカラーバーのその他の詳細な説明については、後述する「II．第２実施態様  Ａ．カラーバー群  １．透過スペクトル  （２）各色カラーバーのスペクトル特性  （ii）金赤外色（ＮＩＲ）カラーバー」の項に記載する内容と同様とすることができるため、ここでの記載は省略する。
【００６４】
（iii）オレンジ色（Ｏ）カラーバー
Ｏカラーバーの透過スペクトルは、光源における長波長光のうち赤色光よりも短波長側の光に対する選択透過性を有することから、Ｙｅカラーバーの透過スペクトルとＲカラーバーの透過スペクトルとの間に位置することが好ましい。
Ｙｅカラーバーの透過スペクトルとＲカラーバーの透過スペクトルとのピーク波長の間隔は広いため、上記の位置にＯカラーバーの透過スペクトルのピーク波長が位置することで、ＹｅとＲとの中間色を補うことができ、上記中間色を再現することが可能となる。
【００６５】
また、Ｏカラーバーの透過スペクトルは、分離したピークトップを有することが好ましい。すなわち、Ｏカラーバーの透過スペクトルが、山形波形であることが好ましい。カラーバー群の明るさをより均一にし、かつ、撮像機器のカメラに備わったＩＲカットフィルターによる影響をより一層抑制することで、撮像機器の正確な色較正を行うことが可能となるからである。
【００６６】
Ｏカラーバーのその他の詳細な説明については、後述する「II．第２実施態様  Ａ．カラーバー群  １．透過スペクトル  （２）各色カラーバーのスペクトル特性  （iii）オレンジ色（Ｏ）カラーバー」の項に記載する内容と同様とすることができるため、ここでの記載は省略する。
【００６７】
（iv）マゼンタ色（Ｍｇ）カラーバー
上記カラーバー群は、マゼンタ色（Ｍｇ）カラーバーを含むことが好ましい。
本態様のカラーチャートに基づくｘｙ色度図上において、Ｒ座標とＣｙ座標と位置関係、および、Ｂ座標とＹｅ座標との位置関係によりＷ座標の位置を特定することができるが、さらにＧ座標とＭｇ座標との位置関係を考慮することで、基準色であるＤ６５のＷ座標の位置をより正確に特定することができる。特に、Ｄ６５光源以外の光源を用いた場合であっても、Ｍｇカラーバーを含む本態様のカラーチャートを用いることで、Ｗ（６５）座標の位置を正確に調整できるという利点を有する。
【００６８】
Ｍｇカラーバーは、光源における赤色光および青色光に対する選択透過性を有する。
Ｍｇカラーバーの透過スペクトル２２（Ｍｇ）は、図９で示すように、Ｒカラーバーの透過スペクトル２２（Ｒ）のピーク波長付近に第１の透過ピーク（以下、第１のピーク波長とする。）を有し、Ｂカラーバーの透過スペクトル２２（Ｂ）のピーク波長付近に第２の透過ピーク（以下、第２のピーク波長とする。）を有することが好ましい。
【００６９】
Ｍｇカラーバーの透過スペクトルは、分離したピークトップを有することが好ましい。すなわち、Ｏカラーバーの第１の透過ピークおよび第２の透過ピークが、山形波形であることが好ましい。カラーバー群の明るさをより均一にし、かつ、撮像機器のカメラに備わったＩＲカットフィルターによる影響をより一層抑制することで、撮像機器の正確な色較正を行うことが可能となるからである。
【００７０】
Ｍｇカラーバーのその他の詳細な説明については、後述する「II．第２実施態様  Ａ．カラーバー群  １．透過スペクトル  （２）各色カラーバーのスペクトル特性  （iv）マゼンタ色（Ｍｇ）カラーバー」の項に記載する内容と同様とすることができるため、ここでの記載は省略する。
【００７１】
（ｈ）その他
本態様のカラーチャートの分光透過スペクトルにおいては、可視光領域において隣り合う透過スペクトルが一部で重複することで、混色に含まれる各色成分の混合割合を正確に特定することができ、混色の色再現精度および色較正精度を向上することができる。
【００７２】
２．ｘｙ色度図
次に、上記カラーバー群により本態様のカラーチャートが示すｘｙ色度図について説明する。なお、本態様におけるｘｙ色度図については、後述する「II．第２実施態様  Ａ．カラーバー群  ２．ｘｙ色度図」の項に記載する内容と同様とすることができるため、ここでの記載は省略する。
【００７３】
３．カラーバーおよびカラーバー群の構造
各色カラーバーは、所望の透過スペクトルを示す部材であればよく、例えば、バンドパスフィルタ、染色基板を用いることができる。なお、本態様におけるカラーバーおよびカラーバー群の構造については、後述する「II．第２実施態様  Ａ．カラーバー群  ３．カラーバーおよびカラーバー群の構造」の項に記載する内容と同様とすることができるため、ここでの記載は省略する。
【００７４】
Ｂ．遮光部
本態様のカラーチャートは、通常、上記透明基板上の、上記カラーバー群の外周に遮光部が設けられる。なお、本態様における遮光部については、後述する「II．第２実施態様  Ｂ．遮光部」の項に記載する内容と同様とすることができるため、ここでの記載は省略する。
【００７５】
Ｃ．透明基板
本態様における透明基板としては、カラーバー群および遮光部を支持することができ、所望の光透過性を有するものであれば特に限定されず、従来公知のカラーチャートに用いられる透明基板と同様とすることができる。なお、本態様における透明基板については、後述する「II．第２実施態様  Ｃ．透明基板」の項に記載する内容と同様とすることができるため、ここでの記載は省略する。
【００７６】
Ｄ．その他
本態様のカラーチャートは、上述の構成の他に、アライメントマーク、認識コード、カバーガラス、カラーバー保持枠、遮光部付きの透明保護板等を有していてもよい。なお、本態様におけるその他の構成については、後述する「II．第２実施態様  Ｄ．その他」の項に記載する内容と同様とすることができるため、ここでの記載は省略する。
【００７７】
Ｅ．用途
本態様のカラーチャートは、色較正を必要とする撮像機器、映像機器および必要とする周辺機器全般に用いることができる。中でも病理用撮像機器に好適に用いることができる。
【００７８】
II.第２実施態様
第２実施態様のカラーチャートについて詳細に説明する。本態様のカラーチャートは、透明基板と、上記透明基板上に形成されたカラーバー群と、を有し、上記カラーバー群は、赤、緑、青、第１色、第２色および白の少なくとも６色のカラーバーが、順不同でパターン状に配列されて構成され、上記第１色の座標点は、ｘｙ色度図上で（０．３５１、０．６４９）、（０．５４７、０．４５３）、（０．３８０、０．５０６）、（０．４３３、０．４６４）の４点に囲まれた領域内にあり、上記第２色の座標点は、ｘｙ色度図上で、（０．１２５、０．４８９）、（０．１１２、０．２２９）、（０．２７０、０．４０７）、（０．２２４、０.２４２）の４点に囲まれる領域内にあり、赤色カラーバーの透過スペクトルのピーク波長が６００ｎｍ〜６８０ｎｍの範囲内、緑色カラーバーの透過スペクトルのピーク波長が４９５ｎｍ〜５７０ｎｍの範囲内、青色カラーバーの透過スペクトルのピーク波長が４３０ｎｍ〜４９０ｎｍの範囲内、第１色カラーバーの透過スペクトルのピーク波長が５４０ｎｍ〜５９５ｎｍの範囲内、第２色カラーバーの透過スペクトルのピーク波長が４７０ｎｍ〜５１５ｎｍの範囲内であることを特徴とする。
【００７９】
従来、撮像機器の分野においては、出力画像の高解像度化が進められており、色に関しても、色調を忠実に再現する高色再現性が求められている。
中でも病理用撮像機器は、顕微鏡を介して撮像された画像に基づいて人体組織の観察や病理診断を行うことから、出力画像の色を実物に近い色で正確に再現することが求められる。また、異なる撮像機器を用いて同一の試料を撮影する場合、撮像機器の分光感度特性の違いにより再現色に相違が生じると、出力画像に基づく同一の試料の病理診断において一律の結果が得られない場合がある。このため、撮像機器の種類やメーカーによらず、上記出力画像の再現色が同じである必要がある。
【００８０】
撮像機器において出力画像の色再現性を高くするためには、撮像機器により再現可能な色域を広域とすることが必要である。
【００８１】
撮像機器は、正しい再現色をもって出力画像を表示するために、例えば、特許文献１で開示されるようなカラーチャートを用いて、撮像機器での再現色とカラーチャートでの再現色とを比較し、再現色に相違がある場合は上記カラーチャートにもとづき較正される。上述したように、病理用撮像機器は、正確かつ一様な色再現性をもった画像出力が要求されることから、出力画像の色較正に用いられるカラーチャートについても、より広域な色域を有することが求められる。
【００８２】
ところで、撮像機器の色域が拡大するほど、再現可能な色数も増加するため、ポインターカラーをより正確に再現する必要があるところ、従来のカラーチャートでは、可視光領域内の全ての色を十分に網羅できておらず、撮像機器、特に病理用撮像機器による出力画像の色較正に際し、再現できない色がある。このため、撮像機器の色較正を正確に行うことができず、撮像機器は出力画像の高色再現性を達成することができないという問題がある。
【００８３】
一方、ディスプレイ等では広色域を再現する為にカラーフィルターやバックライトにてＲＧＢの三原色のスペクトルの重なりを減らすことで、隣り合う色との混色を減らした、いわゆる「単峰型」のスペクトル形状の技術開発が進められている。
カラーチャートにおいても、広色域化の為には、原理的に３原色はディスプレイ等と同様に、透過スペクトルの分布幅が狭く単峰型のスペクトル形状を持つように開発する必要がある。
加えて、カラーチャートの開発においては、チャート機能を向上させて、撮像機器イメージセンサーの色較正が可能となるように、３原色以外にＢ-Ｇ間やＧ-Ｒ間の波長域の色に関しても、色の配置や透過スペクトルについての検討をしなければならない。
【００８４】
中でも病理用撮像機器では、上述したように出力画像に対して高い色再現性を特に必要としており、且つ、撮像機器の種類等に因らず一様の色再現性が求められることから、上記病理用撮像機器向けに用いられるカラーチャートは、可視光領域内の色を十分に網羅する必要があり、かつ、可視光領域内の色を一様に再現可能であることが求められる。
【００８５】
本態様は、上記問題点に鑑みてなされたものであり、可視光領域内の色を十分に網羅して一様に色を再現することができ、撮像機器の色較正を正確に行うことが可能な透過型色較正用チャートを提供することを主目的とする。
【００８６】
本態様においては、カラーバー群を構成するＷを除いた各色カラーバーの透過スペクトルが、可視光領域内で所望の間隔でピークを有してバランスよく配置されていることを特徴とする。すなわち、図２で示すように、本態様のカラーチャートは、Ｒカラーバーの透過スペクトル２２（Ｒ）のピーク波長が６００ｎｍ〜６８０ｎｍの範囲内、Ｇカラーバーの透過スペクトル２２（Ｇ）のピーク波長が４９５ｎｍ〜５７０ｎｍの範囲内、Ｂカラーバーの透過スペクトル２２（Ｂ）のピーク波長が４３０ｎｍ〜４９０ｎｍの範囲内にある。
また、Ｙｅカラーバーの透過スペクトル２２（Ｙｅ）のピーク波長が５４０ｎｍ〜５９５ｎｍの範囲内、Ｃｙカラーバーの透過スペクトル２２（Ｃｙ）のピーク波長が４７０ｎｍ〜５１５ｎｍの範囲内にある。
【００８７】
本態様によれば、白を除く５色のカラーバーが所定の位置に透過スペクトルのピーク波長を有することで、ｘｙ色度図において所望のポインターカラーを包含するために必要最低限の６色により、可視光領域内の色を網羅することができ、可視光領域内の色を一様に再現することができる。これにより、本態様のカラーチャートを用いて撮像機器の色較正を正確に行うことができる。
【００８８】
本態様において、可視光領域とは、波長領域３８０ｎｍ〜７８０ｎｍをいう。本明細書内において規定される波長の範囲について「Ａｎｍ〜Ｂｎｍの範囲内（Ａ、Ｂは数値）」と表記するものは、「Ａｎｍ以上Ｂｎｍ以下（Ａ、Ｂは数値）」と言い換えることができる。
また、本態様において「ｘｙ色度図」とは、ＣＩＥ１９３１−ＸＹＺ表色系のｘｙ色度図をいう。
【００８９】
以下の説明において、「ピークトップの分離」とは各色の透過スペクトルのピークトップの重なりを抑えることを意味する。また、「スペクトルの分離」とは、複数色の透過スペクトルの重複による混色の発生を抑えることを意味する。
【００９０】
本態様のカラーチャートについて、図を参照して説明する。図１は、本態様のカラーチャートの一例を示す概略平面図である。また、図２は、本態様のカラーチャートが示す分光透過スペクトルの一例を示すイメージグラフであり、図３は、本態様のカラーチャートの色域を示すｘｙ色度図である。
本態様のカラーチャート１０は、透明基板１と、透明基板１上に形成されたカラーバー群２とを有する。カラーバー群２の外周には、カラーバー保持枠４を有する。
カラーバー群２は、赤色カラーバー１２Ｒ、緑色カラーバー１２Ｇ、青色カラーバー１２Ｂ、黄色カラーバー１２Ｙｅ、シアン色カラーバー１２Ｃｙ、および白色カラーバー１２Ｗの、少なくとも６色のカラーバーが、順不同でパターン状に配列されて構成されている。白色カラーバー１２Ｗは通常、透明である。透明基板１上の各色カラーバーの周囲には、遮光部３が設けられている。
本態様のカラーチャート１０は、図２で示すような分光透過スペクトル特性を有し、図３で示すように、ｘｙ色度図上のＷを除く５色の各座標を直線で結んだ五角形で囲まれた色域Ｌ１を有する。なお、図３中のＬ２は、ｘｙ色度図上のＲ、Ｇ、Ｂの３色の各座標を直線で結んだ三角形で囲まれた色域を示す。以下、同様とする。
【００９１】
本態様のカラーチャートは、背面から入射した光が、カラーバー群を構成するＷを除く５色のカラーバーの選択透過性に応じて分光され、可視光領域内において、短波長側から順に、Ｂカラーバー、Ｃｙカラーバー、Ｇカラーバー、Ｙｅカラーバー、およびＲカラーバーの各色の透過スペクトルがそれぞれ出現する。
【００９２】
本態様においては、カラーバー群を構成するＷを除いた各色カラーバーの透過スペクトルが、可視光領域内で所望の間隔でピークを有してバランスよく配置されていることを特徴とする。すなわち、図２で示すように、本態様のカラーチャートは、Ｒカラーバーの透過スペクトル２２（Ｒ）のピーク波長が６００ｎｍ〜６８０ｎｍの範囲内、Ｇカラーバーの透過スペクトル２２（Ｇ）のピーク波長が４９５ｎｍ〜５７０ｎｍの範囲内、Ｂカラーバーの透過スペクトル２２（Ｂ）のピーク波長が４３０ｎｍ〜４９０ｎｍの範囲内にある。
また、Ｙｅカラーバーの透過スペクトル２２（Ｙｅ）のピーク波長が５４０ｎｍ〜５９５ｎｍの範囲内、Ｃｙカラーバーの透過スペクトル２２（Ｃｙ）のピーク波長が４７０ｎｍ〜５１５ｎｍの範囲内にある。
【００９３】
また、本態様のカラーチャートにおける、Ｗを除く５色のカラーバーの色度座標は、ｘｙ色度図上において図３で示すように分布する。本態様のカラーチャートは、上記ｘｙ色度図上の、５色の各座標を直線で結んだ五角形で囲まれた色域Ｌ１内に包含されるポインターカラーの色を再現および較正することができる。
ｘｙ色度図上のカラーバーの色度座標は、カラーバーの分光スペクトルを P(λ）、ＣＩＥで１９３１年に採択したＸＹＺ表色系における等色関数を x_(λ)、 y_(λ)、 z_(λ)、光源の分光分布を S_(λ) とした際に、
X = ∫ (380nm 〜 780nm) P(λ) * x_(λ) * S_(λ) dλ/∫ (380nm 〜 780nm) y_(λ) * S_(λ) dλ
Y = ∫ (380nm 〜 780nm) P(λ) * y_(λ) * S_(λ) dλ/∫ (380nm 〜 780nm) y_(λ) * S_(λ) dλ
Z = ∫ (380nm 〜 780nm) P(λ) * z_(λ) * S_(λ) dλ/∫ (380nm 〜 780nm) y_(λ) * S_(λ) dλ
x = X / (X＋Y＋Z)
y = Y / (X＋Y＋Z)  
z = 1−x−y ( ＝ Z / (X＋Y＋Z)）
にて算出される座標である。上記式はＪＩＳ  Ｚ８７０１にて規定される。
また、ここでは光源の分光分布 S_(λ) はＤ６５光源を元としている。図３中のＷ（Ｄ６５）はＤ６５の白座標とし、上記白座標で示される白を、本明細書内では「Ｄ６５の白」と称する。
【００９４】
本態様によれば、白を除く５色のカラーバーが所定の位置に透過スペクトルのピーク波長を有することで、ｘｙ色度図において所望のポインターカラーを包含するために必要最低限の６色により、可視光領域内の色を網羅することができ、可視光領域内の色を一様に再現することができる。これにより、本態様のカラーチャートを用いて撮像機器の色較正を正確に行うことができる。
【００９５】
以下、本態様のカラーチャートの各構成について説明する。
【００９６】
Ａ．カラーバー群
本態様におけるカラーバー群は、透明基板上に形成されるものである。
上記カラーバー群は、Ｒ、Ｇ、Ｂ、Ｙｅ、ＣｙおよびＷの、少なくとも６色のカラーバーが、順不同でパターン状に配列されて構成されている。
なお、「Ｗを除く（除いた）５色」とは、Ｒ、Ｇ、Ｂ、ＹｅおよびＣｙの５色をいう。本明細書内において「５色のカラーバー」とは、別段の定めが無い限り、上記の５色のカラーバーをいうものとする。また、「６色のカラーバー」とは、別段の定めが無い限り、上記の５色およびＷの計６色のカラーバーをいうものとする。後述するように、他の色のカラーバーを含む場合であっても、同様とする。
【００９７】
１．透過スペクトル
Ｗを除いた５色のカラーバーの透過スペクトルは、ピーク波長を所定の位置に有する。
本態様のカラーチャートの分光透過スペクトルにおいては、各色カラーバーの透過スペクトルがそれぞれ、可視光領域内の所望の波長領域を網羅するようにバランスよく出現する。また、隣り合う透過スペクトルが一部で重複することとなり、カラーチャートの分光透過スペクトルが可視光領域内を全て網羅することができる。
【００９８】
（１）ピーク波長の規定方法
Ｗを除く５色のカラーバーの透過スペクトルは、波形に応じてピーク波長もしくは基準波長を有する。すなわち、Ｗを除く５色のカラーバーの透過スペクトルは、図４（ａ）で示すような山形波形を示し、高透過率を示すピーク波長λPを有する。ピーク波長λPは、図４（ａ）で示すように、透過スペクトルの実測透過率の最大値Ｔmaxを特定し、最大値Ｔmaxの透過率を１００％としたときの相対透過率が５０％となる波長λ1およびλ2を特定し、波長λ1から波長λ2までの波長領域の中心波長とする。また、ピーク波長λPでの実測透過率Ｔを「ピーク波長での透過率（以下、ピーク透過率と称する場合がある。）」とする。
なお、単に「透過率」という場合は、実測の透過率を意味し、「相対透過率」という場合は、特定の波長での実測透過率を１００％として換算した透過率を意味する。
【００９９】
各色カラーバーの透過スペクトルは、オリンパス株式会社  顕微分光測定機ＯＳＰ−ＳＰ２００を用いて、無色(透明)である白色カラーバーをバックグラウンドとして可視光領域３８０ｎｍ〜７８０ｎｍにおける透過率を測定して得られる。また、ｘｙ色度図上における各色の座標を算出する際は、既知であるＤ６５光源スペクトルのデータが用いられる。
以下、上記５色以外の任意色のカラーバーにおいても同様とする。
【０１００】
（２）各色カラーバーのスペクトル特性
以下、カラーバー群を構成する各色カラーバーのスペクトル特性について説明する。
【０１０１】
（ａ）赤色（Ｒ）カラーバー
Ｒカラーバーは、光源における赤色光に対する選択透過性を有する。
Ｒカラーバーの透過スペクトルのピーク波長は、６００ｎｍ〜６８０ｎｍの範囲内であればよく、中でも６１０ｎｍ〜６８０ｎｍの範囲内、特に６２５ｎｍ〜６８０ｎｍの範囲内であることが好ましい。上記ピーク波長が上記範囲内に無い場合、Ｗを除く５色の透過スペクトルをバランスよく配置した際に、ピークトップの分離が明確にならず、補間色効果が出にくくなるからからである。
【０１０２】
また、Ｒカラーバーの透過スペクトルの半値幅としては、１２０ｎｍ以下であることが好ましく、中でも２０ｎｍ〜１００ｎｍの範囲内、特に３０ｎｍ〜８０ｎｍの範囲内であることが好ましい。また、上記半値幅の下限としては１０ｎｍとすることができる。
上記半値幅が上記範囲内に無い場合、他の色のカラーバーの透過スペクトルとも重複領域を有し、本態様のカラーチャートの色域の赤色領域を十分に広げることが困難となる可能性や、再現可能な色の彩度が低下する恐れがあるからである。
なお、透過スペクトルの半値幅とは、透過スペクトルのピーク透過率の半値となる波長の間隔をいい、上述した透過スペクトルの測定（オリンパス株式会社  顕微分光測定機ＯＳＰ−ＳＰ２００使用）による測定結果から算出することができる。以下、他の色のカラーバーについても同様とする。
【０１０３】
また、Ｒカラーバーの透過スペクトルは、さらに、ＢＴ．２０２０規格で規定される赤色の透過スペクトルと同等であることが好ましい。つまり、Ｒカラーバーの透過スペクトルのピーク波長が６２０ｎｍ〜６８０ｎｍの範囲内であり半値幅が１００ｎｍ以下であることが好ましく、ピーク波長が６３０ｎｍ〜６７０ｎｍの範囲内であり半値幅が８０ｎｍ以下であることがより好ましく、ピーク波長が６３０ｎｍ〜６６０ｎｍの範囲内であり半値幅が７０ｎｍ以下であることがさらに好ましい。
上記Ｒカラーバーの透過スペクトルのピーク波長および半値幅を上記範囲内とすることで、ｘｙ色度図上でのＲカラーバーの座標をＢＴ．２０２０規格で規定される赤色の座標と一致もしくは近似させることができ、本態様のカラーチャートの色域の赤色領域を、ＢＴ．２０２０規格で規定される赤色領域まで広げること可能となるからである。
【０１０４】
（ｂ）緑色（Ｇ）カラーバー
Ｇカラーバーは、光源における緑色光に対する選択透過性を有する。
Ｇカラーバーの透過スペクトルのピーク波長は、４９５ｎｍ〜５７０ｎｍの範囲内であればよく、中でも５０５ｎｍ〜５５０ｎｍの範囲内、特に５１０ｎｍ〜５４０ｎｍの範囲内であることが好ましい。上記ピーク波長が上記範囲内に無い場合、Ｗを除く５色の透過スペクトルをバランスよく配置した際に、ピークトップの分離が明確にならず、補間色効果が出にくくなるからからである。
【０１０５】
また、Ｇカラーバーの透過スペクトルの半値幅としては、Ｇカラーバーの透過スペクトルが、Ｃｙカラーバーの透過スペクトルおよびＹｅカラーバーの透過スペクトルと、一部で重複可能となる波形を示すことが可能であればよい。具体的には、上記半値幅が１００ｎｍ以下であることが好ましく、中でも２０ｎｍ〜８０ｎｍの範囲内、特に３０ｎｍ〜６０ｎｍの範囲内であることが好ましい。また、上記半値幅の下限としては１０ｎｍとすることができる。
上記半値幅が上記範囲内に無い場合、他の色のカラーバーの透過スペクトルとも重複領域を有し、本態様のカラーチャートの色域の緑色領域を十分に広げることが困難となる可能性や、再現可能な色の彩度が低下する恐れがあるからである。
【０１０６】
また、Ｇカラーバーの透過スペクトルは、ＢＴ．２０２０規格で規定される緑色の透過スペクトルと同等であることが好ましい。つまり、Ｇカラーバーの透過スペクトルのピーク波長が５１０ｎｍ〜５４０ｎｍの範囲内であり半値幅が８０ｎｍ以下であることが好ましく、ピーク波長が５１５ｎｍ〜５３８ｎｍの範囲内であり半値幅が６０ｎｍ以下であることがより好ましく、ピーク波長が５２０ｎｍ〜５３５ｎｍの範囲内であり半値幅が４０ｎｍ以下であることがさらに好ましい。
上記Ｇカラーバーの透過スペクトルのピーク波長および半値幅を上記範囲内とすることで、ｘｙ色度図上でのＧカラーバーの座標をＢＴ．２０２０規格で規定される緑色の座標と一致もしくは近似させることができ、本態様のカラーチャートの色域の緑色領域を、ＢＴ．２０２０規格で規定される緑色領域まで広げること可能となるからである。
【０１０７】
（ｃ）青色（Ｂ）カラーバー
Ｂカラーバーは、光源における青色光に対する選択透過性を有する。
Ｂカラーバーの透過スペクトルのピーク波長は、４３０ｎｍ〜４９０ｎｍの範囲内であればよく、中でも４３５ｎｍ〜４７５ｎｍの範囲内、特に４５０ｎｍ〜４７０ｎｍの範囲内であることが好ましい。上記ピーク波長が上記範囲内に無い場合、Ｗを除く５色の透過スペクトルをバランスよく配置した際に、ピークトップの分離が明確にならず、補間色効果が出にくくなるからからである。
【０１０８】
また、Ｂカラーバーの透過スペクトルの半値幅としては、Ｂカラーバーの透過スペクトルが、Ｃｙカラーバーの透過スペクトルと一部で重複可能となる波形を示すことが可能であればよい。具体的には、上記半値幅が１００ｎｍ以下であることが好ましく、中でも２０ｎｍ〜８５ｎｍの範囲内、特に２５ｎｍ〜５５ｎｍの範囲内であることが好ましい。また、上記半値幅の下限としては１０ｎｍとすることができる。
上記半値幅が上記範囲内に無い場合、他の色のカラーバーの透過スペクトルとも重複領域を有し、本態様のカラーチャートの色域の青色領域を十分に広げることが困難となる可能性や、再現可能な色の彩度が低下する恐れがあるからである。
【０１０９】
また、Ｂカラーバーの透過スペクトルは、ＢＴ．２０２０規格で規定される青色の透過スペクトルと同等であることが好ましい。つまり、Ｂカラーバーの透過スペクトルのピーク波長が４５０ｎｍ〜４７２ｎｍの範囲内であり半値幅が８０ｎｍ以下であることが好ましく、ピーク波長が４５５ｎｍ〜４７０ｎｍの範囲内であり半値幅が６０ｎｍ以下であることがより好ましく、ピーク波長が４５８ｎｍ〜４６８ｎｍの範囲内であり半値幅が４０ｎｍ以下であることがさらに好ましい。
上記Ｒカラーバーの透過スペクトルのピーク波長および半値幅を上記範囲内とすることで、ｘｙ色度図上でのＲカラーバーの座標をＢＴ．２０２０規格で規定される青色の座標と一致もしくは近似させることができ、本態様のカラーチャートの色域の青色領域を、ＢＴ．２０２０規格で規定される青色領域まで広げること可能となるからである。
【０１１０】
（ｄ）黄色（Ｙｅ）カラーバー
Ｙｅカラーバーは、光源における短波長光および長波長光に対する選択透過性を有する。
また、Ｙｅカラーバーの透過スペクトルは、Ｇカラーバーの透過スペクトルとＲカラーバーの透過スペクトルとの間に位置する。
【０１１１】
Ｙｅカラーバーの透過スペクトルのピーク波長は、５４０ｎｍ〜５９５ｎｍの範囲内であればよく、中でも５４５ｎｍ〜５８５ｎｍの範囲内、特に５６０ｎｍ〜５７５ｎｍの範囲内であることが好ましい。上記ピーク波長が上記範囲内に無い場合、Ｗを除く５色の透過スペクトルをバランスよく配置した際に、ピークトップの分離が明確にならず、補間色効果が出にくくなるからからである。
【０１１２】
Ｙｅカラーバーの透過スペクトルの半値幅としては、Ｙｅカラーバーの透過スペクトルが、Ｇカラーバーの透過スペクトルと、一部で重複可能となる波形を示すことが可能であればよい。具体的には、上記半値幅が１８０ｎｍ以下であることが好ましく、中でも２０ｎｍ〜１７０ｎｍの範囲内、特に３０ｎｍ〜７０ｎｍｍの範囲内であることが好ましい。また、上記半値幅の下限としては１０ｎｍとすることができる。
上記半値幅が上記範囲内に無い場合、他の色のカラーバーの透過スペクトルとの重複領域が増加するからである。
【０１１３】
（ｅ）シアン色（Ｃｙ）カラーバー
Ｃｙカラーバーは、光源における短波長光および中波長光に対する選択透過性を有する。
Ｃｙカラーバーの透過スペクトルは、Ｇカラーバーの透過スペクトルとＢカラーバーの透過スペクトルとの間に位置する。
【０１１４】
Ｃｙカラーバーの透過スペクトルのピーク波長は、４７０ｎｍ〜５１５ｎｍの範囲内であればよく、中でも４８０ｎｍ〜５０５ｎｍの範囲内、特に４９０ｎｍ〜５００ｎｍの範囲内であることが好ましい。上記Ｃｙカラーバーの透過光のピーク波長が上記範囲内に無い場合、Ｗを除く５色の透過スペクトルをバランスよく配置した際に、ピークトップの分離が明確にならず、補間色効果が出にくくなるからからである。
【０１１５】
Ｃｙカラーバーの透過スペクトルの半値幅としては、Ｃｙカラーバーの透過スペクトルが、Ｇカラーバーの透過スペクトルおよびＢカラーバーの透過スペクトルと、一部で重複可能となる波形を示すことが可能であればよい。具体的には、上記半値幅が１５０ｎｍ以下であることが好ましく、中でも２０ｎｍ〜１３０ｎｍの範囲内、特に３０ｎｍ〜８０ｎｍの範囲内であることが好ましい。また、上記半値幅の下限としては１０ｎｍとすることができる。
上記半値幅が上記範囲内に無い場合、他の色のカラーバーの透過スペクトルとの重複領域が増加し、特にＢおよびＧとは、ｘｙ色度図における色座標上では異なる色彩であっても、分光透過スペクトル上でのスペクトル分離が困難になるからである。
【０１１６】
（ｆ）白色（Ｗ）カラーバー
Ｗカラーバーは、無色で透光性を有し、ブランクとして用いられる。Ｗカラーバーは後述する透明基板とすることができる。
また、輝度調整を可能とするため、目に見える範囲の光を均等に吸収できるように設計された無彩色のＷカラーバー（例えば、ＮＤフィルター等）を透明基板上に配置してもよく、透明基板として用いてもよい。
【０１１７】
（ｇ）任意のカラーバー
上記カラーバー群は、上述の６色のカラーバーに加えて、所定の透過スペクトルを有するバイオレット（Ｖ）および近赤外（ＮＩＲ）の２色のカラーバーをさらに含むことが好ましい。Ｗを除く５色のカラーバーに加え、所定の透過スペクトルを示すＶカラーバーおよびＮＩＲカラーバーを含むことで、本態様のカラーチャートは、可視光領域内の色を十分に網羅することができ、可視光領域内の色を一様に再現することができる。これにより、本態様のカラーチャートを用いた撮像機器の色較正の精度を高めることができる。
【０１１８】
また、上記カラーバー群は、上述の６色のカラーバーに加えて、所定の透過スぺクトルを有するオレンジ色（Ｏ）カラーバーをさらに含むことが好ましい。本態様のカラーチャートは、所定の透過スペクトルを示すＯカラーバーをさらに含むことで、ピーク波長の間隔が広い黄色と赤色との中間色を補うことができ、可視光領域内の色をバランスよく十分に網羅することができるため、より詳細かつ高精度な色較正が可能となる。
【０１１９】
上記カラーバー群は、上述の６色のカラーバーと、所定の透過スペクトルを有するＶカラーバーおよびＮＩＲカラーバーの２色とを含む計８色で構成されていてもよく、上述の６色のカラーバーとＯカラーバーとを含む計７色で構成されていてもよい。さらに、上述の６色のカラーバーと、ＶカラーバーおよびＮＩＲカラーバーならびにＯカラーバーの計３色とを含む計９色で構成されていてもよい。
【０１２０】
図５は、本態様のカラーチャートの他の例を示す概略平面図であり、図１で示した６色のカラーバー１２Ｒ、１２Ｇ、１２Ｂ、１２Ｙｅ、１２Ｃｙ、１２Ｗに加えて、バイオレット色カラーバー１２Ｖ、近赤外色カラーバー１２ＮＩＲ、オレンジ色カラーバー１２Ｏを含む計９色のカラーバーが、順不同でパターン状に配列されて構成されたカラーバー群２を有する。図５に示すカラーチャートは、図６で示すような分光透過スペクトル特性を有する。
また、図５に示すカラーチャートの、Ｗを除く８色のカラーバーの色度座標は、ｘｙ色度図上において図７で示すように分布し、上記８色の各座標を直線で結んだ８角形で囲まれた色域Ｌ３内に包含されるポインターカラーの色を再現および較正することができる。
【０１２１】
なお、上記カラーバー群が、上述の６色のカラーバーに加えて、所定の透過スペクトルを有するＶカラーバーおよびＮＩＲカラーバーを含む計８色で構成される場合、本態様のカラーチャートは、図６で示す分光透過スペクトルのうち、Ｏカラーバーの透過スペクトル２２（Ｏ）を除いた分光透過スペクトルを示す。
また、上記カラーバー群が、上述の６色のカラーバーに加えて、所定の透過スペクトルを有するＯカラーバーを含む計７色で構成される場合、本態様のカラーチャートは、図６で示す分光透過スペクトルのうち、ＮＩＲカラーバーの透過スペクトル２２（ＮＩＲ）およびＶカラーバーの透過スペクトル２２（Ｖ）を除いた分光透過スペクトルを示す。
【０１２２】
上記カラーバー群は、上述の６色のカラーバーに加えて、マゼンタ色（Ｍｇ）カラーバーを含むことが好ましい。白はｘｙ色度図上におけるＷ座標を基準として対称と位置にある（補色関係にある）ＲおよびＣｙ、もしくはＢおよびＹｅを混合することで得られるが、さらに、本態様のカラーチャートがカラーバー群にＭｇカラーバーを含むことで、補色関係にあるＧおよびＭｇを適度な比率で混合することでもＷを得ることできる。このように、本態様のカラーチャートは、補色関係を利用した３つの基準で同じ白を調整することで、白の較正をより正確に行うことができるからである。
【０１２３】
上記カラーバー群は、上述の６色のカラーバーとＭｇカラーバーとを含む計７色で構成されていてもよく、上述の６色のカラーバーと所定の透過スペクトルを有するＶカラーバーおよびＮＩＲカラーバーの２色と、Ｍｇカラーバーとを含む計９色で構成されていてもよい。また、上述の６色のカラーバーと所定の透過スペクトルを有するＯカラーバーとＭｇカラーバーとを含む計８色で構成されていてもよい。
さらに、上記カラーバー群は、上述の６色のカラーバーと、所定の透過スペクトルを有するＶカラーバー、ＮＩＲカラーバー、およびＯカラーバーの３色と、Ｍｇカラーバーとを含む計１０色で構成されていてもよい。
【０１２４】
図８は、本態様のカラーチャートの他の例を示す概略平面図であり、図５で示した９色のカラーバー１２Ｒ、１２Ｇ、１２Ｂ、１２Ｙｅ、１２Ｃｙ、１２Ｗ、１２Ｖ、１２ＮＩＲ、１２Ｏに加えて、マゼンタ色カラーバー１２Ｍｇを含む計１０色のカラーバーが、順不同でパターン状に配列されて構成されたカラーバー群２を有する。図８に示すカラーチャートは、図９で示すような分光透過スペクトル特性を有する。
また、図８に示すカラーチャートの、Ｗを除く９色のカラーバーの色度座標は、ｘｙ色度図上において図７で示すように分布し、Ｍｇの色度座標は、Ｍｇを除く上記８色の各座標を直線で結んだ８形で囲まれた色域Ｌ３内に包含される。
【０１２５】
なお、上記カラーバー群が、上述の６色のカラーバーとＭｇカラーバーとの計７色で構成される場合、本態様のカラーチャートは、図９で示す分光透過スペクトルのうち、ＮＩＲカラーバーの透過スペクトル２２（ＮＩＲ）、Ｖカラーバーの透過スペクトル２２（Ｖ）、Ｏカラーバーの透過スペクトル２２（Ｏ）を除いた分光透過スペクトルを示す。
【０１２６】
以下、本態様のカラーチャートに含むことが可能な、各色のカラーバーについて説明する。
【０１２７】
（ｉ）バイオレット色（Ｖ）カラーバー
Ｖカラーバーの透過スペクトルは、光源における短波長光のうち青色光よりも短波長側の光に対する選択透過性を有することから、Ｂカラーバーの透過スペクトルよりも短波長側に位置し、一部がＢカラーバーの透過スペクトルと重複することが好ましい。
【０１２８】
Ｖのカラーバーの透過スペクトルは、図６で示すような山形波形の他に、図４（ｂ）で示すように、ある波長以下において所定の透過率以上の透過率を示す波形を有し、山形波形とならない場合がある。このため、Ｖのカラーバーの透過スペクトルについては、図４（ｂ）で示すように、波長４１５ｎｍを基準波長λsとし、基準波長λsでの実測透過率Ｔを「基準波長での透過率（以下、基準透過率とする場合がある。）」とする。
Ｖカラーバーの透過スペクトルは、４１５ｎｍを基準波長λsとし、基準波長λsでの透過率を１００％としたときの相対透過率が５０％となる波長（相対波長）λ3が４３５ｎｍ〜４６５ｎｍの範囲内であることが好ましく、中でも４３５ｍ〜４６０ｎｍの範囲内、特に４４０ｎｍ〜４５５ｎｍの範囲内であることが好ましい。
相対波長を上記範囲内とすることで、基準波長よりも長波長領域でのスペクトルの波形の広がりを抑え、Ｂカラーバーの透過スペクトルと所望の波長領域で重複することができる。これにより、Ｖカラーバーの透過スペクトルは、Ｂカラーバーの透過スペクトルとピークトップの分離を維持しながらもピーク自体の重複は維持できるため、可視光領域の短波長側を漏れなく評価することができるからである。
【０１２９】
Ｖカラーバーの透過スペクトルの、上記基準波長よりも短波長領域では、所定値以上の透過率を示すことが好ましい。「基準波長よりも短波長領域」とは、可視光領域の下限である波長３８０ｎｍ以上であり、基準波長の４１５ｎｍよりも小さい波長領域をいう。Ｖカラーバーの透過スペクトルが基準波長よりも短波長領域で所定値以上の透過率を示すとは、具体的には、基準透過率を１００％としたときの、基準波長よりも短波長領域での相対透過率が５％以上であることが好ましく、８％以上であることがより好ましく、１０％以上であることがさらに好ましい。Ｖカラーバーの透過スペクトルの基準波長よりも短波長領域にある色の再現が可能となるからである。
【０１３０】
Ｖカラーバーの透過スペクトルは、基準透過率を１００％としたときの波長４９０ｎｍ以上での相対透過率が５％以下であることが好ましく、中でも３％以下、特に１％以下であることが好ましい。Ｖカラーバーの透過スペクトルの上記波長領域での相対透過率が上述の範囲を超えると、分光透過スペクトル上で、他の色のカラーバーの透過スペクトルとのスペクトル分離が困難となるほか、ｘｙ色度図における色座標に対する再現性が極めて低くなる可能性が高いからである。
【０１３１】
（ii）近赤外色（ＮＩＲ）カラーバー
ＮＩＲカラーバーの透過スペクトルは、光源における長波長光のうち赤色光よりも長波長側の光に対する選択透過性を有することから、Ｒカラーバーの透過スペクトルよりも短波長側に位置し、一部がＢカラーバーの透過スペクトルと重複することが好ましい。
【０１３２】
ＮＩＲのカラーバーの透過スペクトルは、図４（ｃ）で示すように、ある波長以上において、所定の透過率以上の透過率を示す波形を有し、山形波形とならない場合がある。このため、ＮＩＲのカラーバーの透過スペクトルについては、図４（ｃ）で示すように、波長７３０ｎｍを基準波長λtとし、基準波長λtでの実測透過率Ｔを「基準波長での透過率（以下、基準透過率とする場合がある。）」とする。
ＮＩＲカラーバーの透過スペクトルは、７３０ｎｍを基準波長λtとし、上記基準波長λtでの透過率を１００％としたときの相対透過率が５０％となる波長（相対波長）λ4が６３０ｎｍ〜７３０ｎｍの範囲内であることが好ましく、中でも６４０ｎｍ〜７１０ｎｍの範囲内、特に６５０ｎｍ〜７００ｎｍの範囲内であることが好ましい。
相対波長を上記範囲内とすることで、基準波長よりも短波長領域でのスペクトルの波形の広がりを抑え、Ｒカラーバーの透過スペクトルと所望の波長領域で重複することができる。これにより、ＮＩＲカラーバーの透過スペクトルは、Ｒカラーバーの透過スペクトルとピークトップの分離を維持しながらも、ピーク自体の重複は維持できるため、可視光領域の高波長側を漏れなく評価することができるからである。
【０１３３】
また、ＮＩＲカラーバーの透過スペクトルの、上記基準波長よりも長波長領域では、一定値以上の透過率を示すことが好ましい。「基準波長よりも長波長領域」とは、基準波長である７３０ｎｍよりも大きく、可視光領域の上限である波長７８０ｎｍ以下の波長領域をいう。ＮＩＲカラーバーの透過スペクトルが基準波長よりも長波長領域で一定値以上の透過率を示すとは、具体的には、基準透過率を１００％としたときの、基準波長よりも長波長領域での相対透過率が３０％以上であることが好ましく、５０％以上であることがより好ましく、８０％以上であることがさらに好ましい。ＮＩＲカラーバーの透過スペクトルの基準波長よりも長波長領域にある色の再現が可能となるからである。
【０１３４】
ＮＩＲカラーバーの透過スペクトルは、基準透過率を１００％としたときの波長６２０ｎｍ以下での相対透過率が５％以下であることが好ましく、中でも２％以下、特に１％以下であることが好ましい。ＮＩＲカラーバーの透過スペクトルの上記波長領域での相対透過率が上述の範囲を超えると、分光透過スペクトル上で、他の色のカラーバーの透過スペクトルとのスペクトル分離が困難となるほか、ｘｙ色度図における色座標に対する再現性が極めて低くなる可能性が高いからである。
【０１３５】
（iii）オレンジ色（Ｏ）カラーバー
Ｏカラーバーの透過スペクトルは、光源における長波長光のうち赤色光よりも短波長側の光に対する選択透過性を有することから、Ｙｅカラーバーの透過スペクトルとＲカラーバーの透過スペクトルとの間に位置することが好ましい。
Ｙｅカラーバーの透過スペクトルとＲカラーバーの透過スペクトルとのピーク波長の間隔は広いため、上記の位置にＯカラーバーの透過スペクトルのピーク波長が位置することで、ＹｅとＲとの中間色を補うことができ、上記中間色を再現することが可能となる。
【０１３６】
Ｏカラーバーの透過スペクトルのピーク波長は、５７５ｎｍ〜６２０ｎｍの範囲内であることが好ましく、中でも５８０ｎｍ〜６１５ｎｍの範囲内、特に５８５ｎｍ〜６１０ｎｍの範囲内であることが好ましい。上記ピーク波長が上記範囲内に無い場合、Ｗを除く８色の透過スペクトルをバランスよく配置した際に、ピークトップの分離が明確にならず、補間色効果が出にくくなるからからである。
【０１３７】
Ｏカラーバーの透過スペクトルの半値幅としては、Ｏカラーバーの透過スペクトルが、Ｙｅカラーバーの透過スペクトルおよびＲカラーバーの透過スペクトルと、一部で重複可能となる波形を示すことが可能であればよい。具体的には、上記半値幅が１２０ｎｍ以下であることが好ましく、中でも２０ｎｍ〜１００ｎｍの範囲内、特に２０ｎｍ〜７０ｎｍの範囲内であることが好ましい。また、上記半値幅の下限としては１０ｎｍとすることができる。
上記半値幅が上記範囲内に無い場合、他の色のカラーバーの透過スペクトルとの重複領域が増加し、特にＹｅ、ＲおよびＮＩＲとはｘｙ色度図における色座標上では異なる色彩であっても、分光透過スペクトル上でのスペクトル分離が困難になるからである。
【０１３８】
Ｏカラーバーの透過スペクトルは、ピーク透過率を１００％としたときの、波長５５０ｎｍ以下および６８０ｎｍ以上での相対透過率が１０％以下であることが好ましく、中でも５％以下、特に３％以下であることが好ましい。
Ｏカラーバーの透過スペクトルの、上記波長領域での相対透過率が上述の範囲を超えると、他の色のカラーバーの透過スペクトルとの重複領域が増加し、分光透過スペクトル上でのスペクトル分離が困難となる可能性があるからである。また、本態様のカラーチャートによるＯの色再現精度が低下する場合があるからである。
【０１３９】
（iv）マゼンタ色（Ｍｇ）カラーバー
上記カラーバー群は、マゼンタ色（Ｍｇ）カラーバーを含むことが好ましい。
本態様のカラーチャートに基づくｘｙ色度図上において、Ｒ座標とＣｙ座標と位置関係、および、Ｂ座標とＹｅ座標との位置関係によりＷ座標の位置を特定することができるが、さらにＧ座標とＭｇ座標との位置関係を考慮することで、基準色であるＤ６５のＷ座標の位置をより正確に特定することができる。特に、Ｄ６５光源以外の光源を用いた場合であっても、Ｍｇカラーバーを含む本態様のカラーチャートを用いることで、Ｗ（６５）座標の位置を正確に調整できるという利点を有する。
【０１４０】
Ｍｇカラーバーは、光源における赤色光および青色光に対する選択透過性を有する。
Ｍｇカラーバーの透過スペクトル２２（Ｍｇ）は、図９で示すように、Ｒカラーバーの透過スペクトル２２（Ｒ）のピーク波長付近に第１の透過ピーク（以下、第１のピーク波長とする。）を有し、Ｂカラーバーの透過スペクトル２２（Ｂ）のピーク波長付近に第２の透過ピーク（以下、第２のピーク波長とする。）を有することが好ましい。
【０１４１】
Ｍｇカラーバーの透過スペクトルは、第１のピーク波長が５６７ｎｍ〜７８０ｎｍの範囲内にあることが好ましく、中でも５９０ｎｍ〜７１０ｎｍの範囲内、特に６１０ｎｍ〜６８０ｎｍの範囲内にあることが好ましい。
また、第２のピーク波長が３８０ｎｍ〜４９５ｎｍの範囲内にあることが好ましく、中でも４００ｎｍ〜４８５ｎｍの範囲内、特に４３０ｎｍ〜４７０ｎｍの範囲内にあることが好ましい。Ｍｇカラーバーの透過スペクトルの各ピーク波長が上記範囲内に無い場合、マゼンタと補色関係にある緑とを混合して白を再現する際に、いかなる混合比であってもＤ６５となる白を得ることが困難となるからである。また、Ｍｇカラーバーの透過スペクトルの半値幅によらず、ｘｙ色度図上において指定の色座標に落ち仕込むことが困難となるからである。
【０１４２】
（ｈ）その他
本態様のカラーチャートの分光透過スペクトルにおいては、可視光領域において隣り合う透過スペクトルが一部で重複することで、混色に含まれる各色成分の混合割合を正確に特定することができ、混色の色再現精度および色較正精度を向上することができる。
【０１４３】
２．ｘｙ色度図
次に、上記カラーバー群により本態様のカラーチャートが示すｘｙ色度図について説明する。本態様のカラーチャートは、Ｗを除く５色のカラーバーの色度座標が、ｘｙ色度図上において図３で示すように分布する。
図３で示すｘｙ色度図上のＲ、Ｇ、Ｂ、Ｙｅ、およびＣｙの各座標（ｘ、ｙ）としては、例えば、Ｒ（０．７０８、０．２９１）、Ｇ（０．１８７、０．７５１）、Ｂ（０．１３７、０．０４９）、Ｙｅ（０．４４８、０．５３８）、Ｃｙ（０．１４１、０．３３９）とすることができる。
【０１４４】
本態様のカラーチャートは、ｘｙ色度図上において、５色の各座標を直線で結んだ五角形で囲まれた色域内に包含されるポインターカラーを再現および較正することができる。本態様によれば、カラーバー群を構成する各カラーバーが上述の透過スペクトルを示すことから、従来のカラーチャートよりも広域の色域を有することができる。
【０１４５】
本態様においては、白を除く５色の上記カラーバーのｘｙ色度図上での座標を直線で結んだ五角形内に包含されるポインターカラーの包含率が、例えば、９０．３％以上であることが好ましく、中でも９９．９％以上であることが好ましく、さらには１００％であること、すなわち、上記五角形内にポインターカラーを全て含むことが好ましい。白を除く５色の座標を直線で結んだ五角形内が本態様のカラーチャートの色域となり、上記色域がポインターカラーを十分に包含することで、可視光領域内の色を十分に網羅することができる。これにより、実在する物体色をより正確に再現することができるため、撮像機器の色較正を高精度で行うことができるからである。
【０１４６】
本態様のカラーチャートが、上記カラーバー群にＶカラーバー、ＮＩＲカラーバーおよびＯカラーバーを含む場合、Ｗを除く８色のカラーバーの色度座標が、ｘｙ色度図上において図７で示すように分布する。
図７で示すｘｙ色度図上の、Ｖ、ＮＩＲ、およびＯの各座標（ｘ、ｙ）としては、例えば、Ｖ（０．１６４、０．０１３）、ＮＩＲ（０．７２４、０．２７２）、Ｏ（０．６４７、０．３５２）、とすることができる。
【０１４７】
本態様のカラーチャートは、上記カラーバー群に含まれる色の数に応じて、ｘｙ色度図上の色域の範囲を拡張することができる。
例えば、上記カラーバー群が、６色のカラーバーに加えてさらにＶカラーバーおよびＮＩＲカラーバーを含む計８色で構成される場合、本態様のカラーチャートは、ｘｙ色度図上において、Ｗを除く７色の各座標を直線で結んだ七角形で囲まれた色域内に包含されるポインターカラーを再現および較正することができる。
また、上記カラーバー群が、６色のカラーバーに加えてさらにＯカラーバーを含む計７色で構成される場合、本態様のカラーチャートは、ｘｙ色度図上において、Ｗを除く６色の各座標を直線で結んだ六角形で囲まれた色域内に包含されるポインターカラーを再現および較正することができる。
さらに、上記カラーバー群が、６色のカラーバーに加えてさらにＶカラーバー、ＮＩＲカラーバーおよびＯカラーバーを含む計９色で構成される場合、本態様のカラーチャートは、ｘｙ色度図上において、Ｗを除く８色の各座標を直線で結んだ八角形で囲まれた色域内に包含されるポインターカラーを再現および較正することができる。
このように、カラーバー群を構成するカラーバーの色の種類を増やすことで、より広域の色域を有することができる。
カラーバー群が、上述の７色、８色または９色で構成される場合の、ｘｙ色度図上での座標を直線で結んだ多角形内に包含されるポインターカラーの包含率は、５色のカラーバーによる五角形内に包含されるポインターカラーの包含率と同様とすることができる。
【０１４８】
上述したように、本態様のカラーチャートの分光透過スペクトルにおいて、Ｒ、Ｇ、およびＢの各色カラーバーの透過スペクトルのピーク波長および半値幅は、所定の範囲内にあることが好ましい。本態様のカラーチャートの、ｘｙ色度図上における三原色の座標を直線で結んだ三角形で規定される色域（図３中のＬ２）を、ＢＴ．２０２０規格における三原色の座標で規定される色域に近付けることができ、ＢＴ．２０２０規格が適用される撮像機器の色較正に対応可能となるからである。また、各色座標に対して、透過スペクトルの波形にさまざまな波形形状を持たせることができるため、各色に対して透過スペクトルのピーク波長の位置とあわせて半値幅を設定することで、本態様のカラーチャートは、透過スペクトルによる色再現性を確保することができるからである。
【０１４９】
図１０で示すように、Ｃｙカラーバーのｘｙ色度図上での座標（以下、Ｃｙ座標とする。）が、上記Ｒカラーバーのｘｙ色度図上での座標（Ｒ座標）とＷ（６５）座標とを結ぶ線の延長線上であり、且つ、ＢＴ．２０２０規格で規定される色域の外周上若しくは上記色域の外側に位置し、上記Ｙｅカラーバーのｘｙ色度図上での座標（以下、Ｙｅ座標とする。）が、上記Ｂカラーバーのｘｙ色度図上での座標（Ｂ座標）とＷ（Ｄ６５）座標とを結ぶ線の延長線上であり、且つ、ＢＴ．２０２０規格で規定される色域の外周上若しくは上記色域の外側に位置することが好ましい。
ｘｙ色度図上において、Ｃｙ座標の位置をＷ（Ｄ６５）座標とＲ座標とを結ぶ線の延長線上とし、Ｙｅ座標の位置をＷ（Ｄ６５）座標とＢ座標とを結ぶ線の延長線上とすることにより、補色関係にあるシアンおよび赤もしくは黄および青のそれぞれの組み合わせを適度な比率で混合してＤ６５となる白を再現することができ、ホワイトバランスの高精度な調整が可能となるからである。また、Ｃｙ座標およびＹｅ座標の位置は、ＢＴ．２０２０規格で規定される色域の外周上のほか、上記色域の外側に位置してもよく、これにより本態様のカラーチャートを用いて色再現が可能な色域を広げることができる。
【０１５０】
中でも、Ｃｙ座標がＲ座標とＷ座標とを結ぶ線の延長線と上記三角形の辺との交点であり、Ｙｅ座標がＢ座標とＷ座標とを結ぶ線の延長線と上記三角形の辺との交点であることが好ましい。
ｘｙ色度図上で、Ｃｙ座標が上記三角形上にあると、緑および青を適当な混合比で混合して得られるシアンと本態様のカラーチャートのＣｙカラーバーが示すシアンとが同じであるか検証することができ、且つ、シアンおよび赤の混合により得られる白がＤ６５の白であるかの検証を行うことが可能となる。
また、Ｙｅに関しても同様に、ｘｙ色度図上で、Ｙｅ座標が上記三角形上にあると、緑および赤を適当な混合比で混合して得られる黄と本態様のカラーチャートのＹｅカラーバーが示す黄色とが同じであるか検証することができ、且つ、黄および青の混合により得られる白がＤ６５の白であるかの検証を行うことが可能となる。
このように本態様のカラーチャートは、ｘｙ色度図上のＣｙ座標およびＹｅ座標が上記の位置にあることで、シアンおよび赤、ならびに黄および青の、それぞれの混合により得られる同じ白を、Ｄ６５の白に較正することができる。
【０１５１】
さらに、上記カラーバー群がＭｇカラーバーを含む場合は、Ｍｇカラーバーのｘｙ色度図上での座標（以下、Ｍｇ座標とする。）が、上記Ｇカラーバーのｘｙ色度図上での座標（Ｇ座標）と上記Ｗ座標とを結ぶ線の延長線上にあることが好ましく、中でも、上記延長線上でありかつ上記三角形の辺上にあることが好ましい。
ｘｙ色度図上において、Ｍｇ座標の位置をＷ（Ｄ６５）座標とＧ座標とを結ぶ線の延長線上とすることで、補色関係にある赤およびシアン、青および黄色、ならびに緑およびマゼンダのそれぞれの組み合わせを適度な比率で混合してＤ６５となる白を再現することができる。これにより、本態様のカラーチャートは、白の較正およびホワイトバランスの調整をより正確に行うことができるからである。
Ｍｇカラーバーを含む場合、色域を規定する各色座標としてＭｇ座標は含まないものとする。
【０１５２】
Ｃｙ、Ｙｅ、およびＭｇの各色のカラーバーの透過スペクトルは、ｘｙ色度図上のＣｙ、Ｙｅ、およびＭｇの各座標の位置に応じて、ピーク波長の位置や半値幅を適宜調整して設計することができる。Ｃｙカラーバーの透過スペクトルは、Ｃｙの座標を調整するために、Ｗ（Ｄ６５）の色座標位置から目標とするＣｙの色座標に対して直線を引いたその延長線とｘｙ色度図の外周曲線に沿った波長位置とが交わったところを、ピーク位置の目安とすることができる。また、Ｃｙカラーバーの透過スペクトルの半値幅は、隣接する他の透過スペクトルのピーク位置と干渉しないよう設定することができる。上記半値幅が小さいほど彩度が高く、大きいほど彩度が低くなるので、Ｃｙの目標とする座標位置に応じて半値幅を変更することが可能である。Ｙｅカラーバーの透過スペクトルについても同様である。
また、Ｍｇに関しては、ｘｙ色度図上にて目標とするＭｇ座標を通過する直線を引く事が可能な、ＢカラーバーもしくはＶカラーバーのピーク波長位置およびＲカラーバーもしくはＮＩＲカラーバーのピーク波長位置に、それぞれ、Ｍｇカラーバーの透過スペクトルの第１ピークおよび第２ピークを設定することができる。Ｍｇカラーバーの透過スペクトルの半値幅は、Ｍｇの目標とする座標位置に応じて変更することができる。
【０１５３】
３．カラーバーおよびカラーバー群の構造
各色カラーバーは、所望の透過スペクトルを示す部材であればよく、例えば、バンドパスフィルタ、染色基板を用いることができる。
染色基板は、染色法により形成することができ、例えば、臭化カリウムを硝酸銀の溶液をゼラチンに加えて調製した銀塩乳剤を用い、上記銀塩乳剤をガラス板等のチップ基板上に塗布し、乾燥して得た銀塩写真乾板から脱銀し、カラーバーの色に応じた染料により染色することで、形成することができる。また、染色基板は、ゼラチン（溶液）にあらかじめ染料を混合し、所定の色にした材料をガラス板等のチップ基板に塗布して形成することもできる。
【０１５４】
各色カラーバーの形成に際し、カラーバーの透過スペクトルのピーク波長位置は、カラーバーの種類やその形成方法に応じて調整が可能である。
例えば、１種の染料を用いた染色基板をカラーバーとして用いる場合であれば、染料の濃度を調整することで、カラーバーの透過スペクトルのピーク波長も調整できる。
また、２種以上の染料を配合して形成した染色基板をカラーバーとして用いる場合であれば、２種の染料の配合比率を変えることで、カラーバーの透過スペクトルのピーク波長を調整することができる。具体的には、Ｇカラーバーであれば、黄色系染料および青色系染料の２種を用いて染色法により形成することができるが、ピーク波長を長波長側へシフトさせる際は黄色系染料の配合比率を増やし、短波長側へシフトさせる際は青色系染料の配合比率を増やすことで、ピーク波長位置を調整することができる。
【０１５５】
カラーバーのサイズ等については特に限定されず、本態様のカラーチャートの用途等に応じて所望の効果を奏しやすくなるように、適宜設計することができる。
【０１５６】
カラーバー群において、各色カラーバーは順不同でパターン状に配列される。各色カラーバーの配列パターンとしては、図１で例示するように一列にラインパターン状に配列されていてもよく、例示しないが格子パターン状や円形状に配列されていてもよい。
また、各色カラーバーの配列順については特に限定されず、本態様のカラーチャートの用途等に応じて所望の効果を奏しやすくなるように、適宜設計することができる。
【０１５７】
各色カラーバーは、例えば、蒸着法、染色法、印刷法、転写法、インクジェット法等の、従来公知の方法を用いて形成することができる。染色法によるカラーバーの形成方法については、上述したのでここでの説明は省略する。
また、カラーバー群は、例えば、上述の方法で形成した各色カラーバーを、後述する透明基板の片面に所望のパターンで配列し、上記透明基板とカバーガラスとで挟持して形成することができる。
【０１５８】
Ｂ．遮光部
本態様のカラーチャートは、通常、上記透明基板上の、上記カラーバー群の外周に遮光部が設けられる。
遮光部としては、所望の遮光性を有するものであればよく、例えば、クロム薄膜等の金属膜、黒色インキで形成された印刷層等が挙げられる。
遮光部の形成方法については、使用する材料に応じて従来公知の方法を用いることができる。
【０１５９】
Ｃ．透明基板
本態様における透明基板としては、カラーバー群および遮光部を支持することができ、所望の光透過性を有するものであれば特に限定されず、従来公知のカラーチャートに用いられる透明基板と同様とすることができる。具体的には、ガラス基板等の無機基板や樹脂基板を用いることができる。樹脂基板は、板状の他、フィルムやシートであってもよい。
【０１６０】
Ｄ．その他
本態様のカラーチャートは、上述の構成の他に、アライメントマーク、認識コード、カバーガラス、カラーバー保持枠、遮光部付きの透明保護板等を有していてもよい。
認識コードは、例えば、テストチャートの情報等を記録したコードとすることができる。また、アライメントマークは、位置情報が記録されたマークとすることができるが、さらにテストチャートの情報等が記録された認識コードとして機能してもよい。これらは、遮光部付きの透明保護板上に設けられていてもよい。
【０１６１】
また、本態様のカラーチャートは、ＩＲカットフィルターを有していてもよい。各色カーバーが染色法により形成される場合、染料の特性上、透過スペクトルが６５０ｎｍ以上の波長領域において光を透過しやすい傾向があり、高い光透過率を有してしまう。特にＹｅ、Ｏ、Ｒカラーバーに用いられる染料は、６５０ｎｍ付近から長波長側の光を吸収しにくい傾向にある。このため、長波長域では、各色の透過スペクトルが重複してしまう。
これに対し、カラーバーに所定領域を除去するＩＲカットフィルターを合わせることで、各色の透過スペクトルを分離することができ、色の混色を防ぐことが可能となる。
ＩＲカットフィルターは、各色カラーバーの透過スペクトル特性に合わせて、遮断する波長領域を検討して選択することができる。ＩＲカットフィルターは、従来公知のものを用いることができる。
【０１６２】
本態様のカラーチャートは、適応される撮像画像に応じて、サイズを設計することができる。例えば、本態様のカラーチャートを、病理用撮像機器の顕微鏡を介して撮像された測定試料の出力画像の色評価および色補正に使用する場合、顕微鏡の対物レンズの倍率に応じたサイズのカラーバー群が形成されたミクロ撮像用カラーチャートとすることができる。
また、本態様のカラーチャートを、例えば、撮像機器により等倍で撮像された測定試料の出力画像の色評価および色補正に使用する場合、撮像画像サイズに応じたサイズのカラーバー群が形成されたマクロ撮像用カラーチャートとすることができる。
【０１６３】
Ｅ．用途
本態様のカラーチャートは、色較正を必要とする撮像機器、映像機器および必要とする周辺機器全般に用いることができる。中でも病理用撮像機器に好適に用いることができる。
【０１６４】
本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０１６５】
以下に実施例を示し、本発明をさらに詳細に説明する。
【０１６６】
［実施例１］
Ｒ、Ｇ、Ｂ、Ｙｅ、ＣｙおよびＷの６色のカラーバーで構成され、図２の分光スペクトルおよび図３のｘｙ色度図を示す透過型色較正用チャートを作成した。
Ｗ以外の５色のカラーバーは、ガラス板上に臭化カリウムを硝酸銀の溶液をゼラチンに加えて作製された銀塩乳剤を塗布し乾燥された銀塩写真乾板から脱銀されたものを基板として、その基板を各色に応じた染料により染色した染色基板を用いた。染料は、各カラーバーの色に応じて一般的に普及している酸性染料を用いた。また、染色方法は、一般的に普及している製法と同様に、まずは酸性染料と助剤を混合した染色液をつくり、上記染色液に上記基板を浸漬し、所定の濃度まで染色が進んだら基板を取り出し水洗いをして得た。
透過型色較正用チャートは、デバイスで認識させる面を上面とし、最上面から遮光部付きの透明保護板、各色カラーバー、透明基板の順となるように積層して形成した。各色カラーバー（染色基板）は、透明基板（ガラス基板）上にＢ、Ｃｙ、Ｇ、Ｙｅ、Ｒ、Ｗの配列順で配置した。なおＷカラーバーは、透明基板となるガラス基板を配置した。
また、Ｗ以外のカラーバーは、ＩＲカットフィルターを介して透明基板上に配置した。Ｂ、Ｃｙ、およびＧカラーバーには、ＩＲカットフィルターとしてＡタイプ（半値Ｔ＝５０％  ６２０ｎｍ）を用い、Ｙｅ、およびＲカラーバーには、ＩＲカットフィルターとしてＢタイプ（半値Ｔ＝５０％  ６６５ｎｍ）を用いた。
各色のカラーバーのピーク波長を表１に示す。
【０１６７】
【表１】
2019049539.tif 000003
【０１６８】
［実施例２］
実施例１の６色のカラーバーに加えて、Ｖ、ＮＩＲ、およびＯの３色を加えた計９色のカラーバーで構成され、図６の分光スペクトルおよび図７のｘｙ色度図を示す透過型色較正用チャートを作成した。Ｖ、ＮＩＲ、およびＯの３色のカラーバーは、実施例１における他の色のカラーバーの形成方法と同様の方法により得た。
透過型色較正用チャートは、実施例１と同様にして形成した。各色カラーバー（染色基板）は、透明基板（ガラス基板）上にＶ、Ｂ、Ｃｙ、Ｇ、Ｙｅ、Ｏ、Ｒ、ＮＩＲ、Ｗの配列順で配置した。Ｗカラーバーは、透明基板となるガラス基板を配置した。
また、ＮＩＲ、Ｗ以外のカラーバーは、ＩＲカットフィルターを介して透明基板上に配置した。Ｖ、Ｂ、Ｃｙ、およびＧカラーバーには、ＩＲカットフィルターとしてＡタイプ（半値Ｔ＝５０％  ６２０ｎｍ）を用い、Ｙｅ、Ｏ、およびＲカラーバーには、ＩＲカットフィルターとしてＢタイプ（半値Ｔ＝５０％  ６６５ｎｍ）を用いた。
【０１６９】
［実施例３］
実施例２の９色のカラーバーに加え、Ｍｇを加えた計１０色のカラーバーで構成され、図９の分光スペクトルおよび図１０のｘｙ色度図を示す透過型色較正用チャートを作成した。Ｍｇカラーバーは、実施例１における他の色のカラーバーの形成方法と同様の方法により得た。
透過型色較正用チャートは、実施例１と同様にして形成した。各色カラーバーは、透明基板上にＶ、Ｂ、Ｃｙ、Ｇ、Ｙｅ、Ｏ、Ｒ、Ｍｇ、ＮＩＲ、Ｗの配列順で配置した。
また、ＮＩＲ、Ｗ以外のカラーバーは、ＩＲカットフィルターを介して透明基板上に配置した。Ｖ、Ｂ、Ｃｙ、およびＧカラーバーには、ＩＲカットフィルターとしてＡタイプ（半値Ｔ＝５０％  ６２０ｎｍ）を用い、Ｙｅ、Ｏ、Ｒ、およびＭｇカラーバーには、ＩＲカットフィルターとしてＢタイプ（半値Ｔ＝５０％  ６６５ｎｍ）を用いた。
【０１７０】
ＶおよびＮＩＲカラーバーの相対波長、ならびにＯおよびＭｇカラーバーのピーク波長を表２に示す。
【０１７１】
【表２】
2019049539.tif 000004
【０１７２】
実施例１〜３で得た透過型色較正用チャートのｘｙ色度図において、色域内に包含されるポインターカラーの包含率を表３に示す。なお、色域は、図３はＷを除く５色の座標を結んだ五角形内、図７および図１０はＷおよびＭｇを除く８色の座標を結んだ八角形とした。
【０１７３】
【表３】
2019049539.tif 000005
【符号の説明】
【０１７４】
１  …  透明基板
２  …  カラーバー群
３  …  遮光部
４  …  カラーバー保持枠
１２  …  カラーバー
１０  …  透過型色較正用チャート（カラーチャート）
【図１】
2019049539.tif 000006
【図２】
2019049539.tif 000007
【図３】
2019049539.tif 000008
【図４】
2019049539.tif 000009
【図５】
2019049539.tif 000010
【図６】
2019049539.tif 000011
【図７】
2019049539.tif 000012
【図８】
2019049539.tif 000013
【図９】
2019049539.tif 000014
【図１０】
2019049539.tif 000015
【図１１】
2019049539.tif 000016